(57)【要約】【課題】所望の機能を直感的な操作で実行可能な端末装置を実現する。【解決手段】携帯電話１０では、表示部１０６上に配設される接触操作部１０５の出力に基づき、例えば電波受信強度を表す電波アイコンの「ダブルタッチ」もしくは電波アイコンをタッチして「画面中央部にスライド」する接触操作を検出すると、その操作に対応して生成される機能ＩＤ「Ｃ０１」の設定情報に従って電波送信を止める電波オフモードに設定したり解除したりするので、直感的かつ確実な操作で使用状況（電波受信強度）に関連する機能を実行させることができる。【選択図】図２５
2010199749.tif 000002
【特許請求の範囲】
【請求項１】
端末装置の使用状況を取得する取得手段と、
前記取得手段により取得された使用状況を示す識別情報を表示画面に表示する表示制御手段と、
表示画面上の接触操作を検出する接触操作検出手段と、
前記接触操作検出手段が、前記表示制御手段により画面表示された識別情報の表示領域における第１の接触操作を検出してから当該表示領域で行われる第２の接触操作を検出した場合に、検出された第１および第２の接触操作の内容に応じて、当該識別情報が示す使用状況に関連する複数の機能の何れかを選択する機能選択手段と、
前記機能選択手段により選択された機能を実行する実行手段と
を具備することを特徴とする端末装置。
【請求項２】
前記機能選択手段は、前記接触操作検出手段が識別情報の表示領域を連続的に接触したことを表す第１および第２の接触操作を検出した場合、識別情報のダブルタッチ操作であることを判別する操作判別手段を備えることを特徴とする請求項１記載の端末装置。
【請求項３】
前記機能選択手段は、前記接触操作検出手段が識別情報の表示領域を接触する第１の接触操作を検出した後、当該表示領域を所定の表示位置に移動させるようになぞる第２の接触操作を検出した場合、識別情報のスライド操作であることを判別する操作判別手段を備えることを特徴とする請求項１記載の端末装置。
【請求項４】
前記表示制御手段により画面表示された識別情報が示す使用状況に基づき、前記機能選択手段によって選択された機能の実行の可否を判別する実行判別手段を更に備え、
前記実行手段は、前記実行判別手段により実行可能と判別された場合に、前記機能選択手段により選択された機能を実行することを特徴とする請求項１記載の端末装置。
【請求項５】
通信手段を更に備え、
前記取得手段は、この通信手段の通信状況を取得し、
前記表示制御手段は、前記取得手段により取得された通信状況を示す識別情報を表示画面に表示することを特徴とする請求項１記載の端末装置。
【請求項６】
前記実行手段は、通信を制限する設定機能を実行することを特徴とする請求項５記載の端末装置。
【請求項７】
通信相手を指定する相手指定手段を更に備え、
前記実行手段は、前記機能選択手段により選択された機能が通信機能の場合、前記相手指定手段により指定された通信相手との通信を実行することを特徴とする請求項５記載の端末装置。
【請求項８】
前記相手指定手段により指定された通信相手の識別情報に基づいて、複数の通信手段のいずれかを選択する通信選択手段を更に備え、
前記実行手段は、前記通信選択手段により選択された通信手段を利用して、前記相手指定手段により指定された通信相手に対する通信機能を実行することを特徴とする請求項７記載の端末装置。
【請求項９】
データを指定するデータ指定手段を更に備え、
前記実行手段は、前記機能選択手段により選択された機能が通信機能の場合、前記データ指定手段により指定されたデータを送信することを特徴とする請求項５記載の端末装置。
【請求項１０】
前記表示制御手段は、前記取得手段が端末装置の電源の使用状況を取得した場合、その取得された電源の使用状況を示す識別情報を表示画面に表示することを特徴とする請求項１記載の端末装置。
【請求項１１】
前記実行手段は、主要動作を停止させるための電源オフ機能又は主要動作を開始させるための電源オン機能のいずれか一方を実行することを特徴とする請求項１０記載の端末装置。
【請求項１２】
前記実行手段は、消費電力を抑制する動作モードの設定機能を実行することを特徴とする請求項１０記載の端末装置。
【請求項１３】
前記表示制御手段は、前記取得手段が時刻を取得した場合、その取得された時刻を示す識別情報を表示画面に表示することを特徴とする請求項１記載の端末装置。
【請求項１４】
前記実行手段は、所定の時刻の到来を報知するアラーム設定機能又は所定の時間の経過を報知するタイマ設定機能のいずれか一方を実行することを特徴とする請求項１３記載の端末装置。
【請求項１５】
通信手段と、
前記通信手段の通信状況を取得する取得手段と、
前記取得手段により取得された通信状況を示す識別情報を表示画面に表示する表示制御手段と、
表示画面上の接触操作を検出する接触操作検出手段と、
前記接触操作検出手段によって、前記表示制御手段により画面表示された識別情報の表示領域を指定する接触操作が検出された場合に、前記通信手段を用いた通信を実行する実行手段と
を具備することを特徴とする端末装置。
【請求項１６】
通信相手を表示画面に表示する相手表示制御手段を更に備え、
前記接触操作検出手段が、
前記表示制御手段により画面表示された識別情報の表示領域を指定する第１の接触操作を検出した後、当該表示領域から前記相手表示制御手段により画面表示された通信相手の画面表示位置まで移動させる第２の接触操作を検出した場合、
あるいは前記相手表示制御手段により画面表示された通信相手の画面表示位置を指定する第１の接触操作を検出した後、当該画面表示位置から前記表示制御手段により画面表示された識別情報の表示領域まで移動させる第２の接触操作を検出した場合に、
前記実行手段は、前記通信相手との通信を実行することを特徴とする請求項１５記載の端末装置。
【請求項１７】
データを表示画面に表示するデータ表示制御手段を更に備え、
前記接触操作検出手段が、
前記表示制御手段により画面表示された識別情報の表示領域を指定する第１の接触操作を検出した後、当該表示領域から前記データ表示制御手段により画面表示されたデータの画面表示位置まで移動させる第２の接触操作を検出した場合、
あるいは前記データ表示制御手段により画面表示されたデータの画面表示位置を指定する第１の接触操作を検出した後、当該画面表示位置から前記表示制御手段により画面表示された識別情報の表示領域まで移動させる第２の接触操作を検出した場合に、
前記実行手段は、前記データの送信を実行することを特徴とする請求項１５記載の端末装置。
【請求項１８】
端末装置の電源の使用状況を取得する取得手段と、
前記取得手段により取得された電源の使用状況を示す識別情報を表示画面に表示する表示制御手段と、
表示画面上の接触操作を検出する接触操作検出手段と、
前記接触操作検出手段によって、前記表示制御手段により画面表示された識別情報の表示領域を指定する接触操作が検出された場合に、主要動作を停止させる電源オフ機能又は主要動作を開始させる電源オン機能のいずれか一方を実行する実行手段と
を具備することを特徴とする端末装置。
【請求項１９】
通信相手を識別する識別情報を表示画面に表示する表示制御手段と、
表示画面上の接触操作を検出する接触操作検出手段と、
前記接触操作検出手段によって、前記表示制御手段により画面表示された識別情報の表示領域を指定する接触操作が検出された場合に、その接触操作によって指定された識別情報の種別を判別する種別判別手段と、
前記種別判別手段によって判別された種別に対応する情報を、接触操作で指定された表示領域の識別情報に付加する情報付加機能を実行する実行手段と
を具備することを特徴とする端末装置。
【請求項２０】
前記実行手段は、識別情報の表示領域に所定の接触操作が行われた場合に、情報を識別情報に付加することを特徴とする請求項１９記載の端末装置。
【請求項２１】
前記実行手段は、識別情報の表示領域の前部で接触操作が行われた場合に、当該識別情報の先頭に情報を付加することを特徴とする請求項１９記載の端末装置。
【請求項２２】
前記実行手段は、識別情報の表示領域の後部で接触操作が行われた場合に、当該識別情報の末尾に情報を付加することを特徴とする請求項１９記載の端末装置。
【請求項２３】
前記実行手段は、識別情報の表示領域において所定位置を指定する第１の接触操作が行われた後、この第１の接触操作で指定された位置を移動させる第２の接触操作が行われた場合に、情報を識別情報に付加することを特徴とする請求項１９記載の端末装置。
【請求項２４】
前記実行手段は、第１の接触操作で指定された位置を右方向へ移動させる第２の接触操作が行われた場合に、識別情報の先頭に情報を付加することを特徴とする請求項２３記載の端末装置。
【請求項２５】
前記実行手段は、第１の接触操作で指定された位置を左方向へ移動させる第２の接触操作が行われた場合に、識別情報の末尾に情報を付加することを特徴とする請求項２３記載の端末装置。
【請求項２６】
接触操作によって指定された識別情報が、情報を付加することに適した識別情報か否かを判別する付加判別手段を更に備え、
前記実行手段は、前記付加判別手段により情報を付加することに適した識別情報であると判別された場合に、識別情報に情報を付加することを特徴とする請求項１９記載の端末装置。
【請求項２７】
端末装置に搭載されるコンピュータに、
端末装置の使用状況を取得する取得ステップと、
前記取得ステップにより取得された使用状況を示す識別情報を表示画面に表示する表示制御ステップと、
表示画面上の接触操作を検出する接触操作検出ステップと、
前記接触操作検出ステップが、前記表示制御ステップにて画面表示された識別情報の表示領域における第１の接触操作を検出してから当該表示領域で行われる第２の接触操作を検出した場合に、検出された第１および第２の接触操作の内容に応じて、当該識別情報が示す使用状況に関連する複数の機能の何れかを選択する機能選択ステップと、
前記機能選択ステップにより選択された機能を実行する実行ステップと
を実行させることを特徴とするプログラム。
【請求項２８】
端末装置に搭載されるコンピュータに、
通信ステップと、
前記通信ステップの通信状況を取得する取得ステップと、
前記取得ステップで取得された通信状況を示す識別情報を表示画面に表示する表示制御手ステップと、
表示画面上の接触操作を検出する接触操作検出ステップと、
前記接触操作検出ステップによって、前記表示制御ステップで画面表示された識別情報の表示領域を指定する接触操作が検出された場合に、前記通信ステップの通信を実行する実行ステップと
を実行させることを特徴とするプログラム。
【請求項２９】
端末装置に搭載されるコンピュータに、
端末装置の電源の使用状況を取得する取得ステップと、
前記取得ステップにより取得された電源の使用状況を示す識別情報を表示画面に表示する表示制御ステップと、
表示画面上の接触操作を検出する接触操作検出ステップと、
前記接触操作検出ステップによって、前記表示制御ステップで画面表示された識別情報の表示領域を指定する接触操作が検出された場合に、主要動作を停止させる電源オフ機能又は主要動作を開始させる電源オン機能のいずれか一方を実行する実行ステップと
を実行させることを特徴とするプログラム。
【請求項３０】
端末装置に搭載されるコンピュータに、
通信相手を識別する識別情報を表示画面に表示する表示制御ステップと、
表示画面上の接触操作を検出する接触操作検出ステップと、
前記接触操作検出ステップによって、前記表示制御ステップで画面表示された識別情報の表示領域を指定する接触操作が検出された場合に、その接触操作によって指定された識別情報の種別を判別する種別判別ステップと、
前記種別判別ステップによって判別された種別に対応する情報を、接触操作で指定された表示領域の識別情報に付加する情報付加機能を実行する実行ステップと
を実行させることを特徴とするプログラム。
【発明の詳細な説明】
【技術分野】
【０００１】
本発明は、所望の機能を直感的な操作で実行させ得る端末装置およびプログラムに関する。
【背景技術】
【０００２】
携帯電話などの端末装置では、例えば電話をかけようとする場合には発信用のハードキーを押下操作したり、発信用のソフトキー（アイコン）を接触操作したりする等、ユーザ所望の機能を実行させる際にはハードキーの押下操作やソフトキー（アイコン）の接触操作が要求される。この種の技術として、例えば特許文献１には、シークレットモードのオンオフ状態を示すシークレットモード通知アイコン、バイブレータのオンオフ状態を示すバイブレータ設定通知アイコン、電池節約モードのオンオフ状態を示す電池節約モード設定通知アイコンなどの各種機能設定アイコンを表示画面に表示し、それらの内からカーソルキー操作で選択されるアイコンに対応付けられた機能を決定キー操作に応じてオン設定またはオフ設定する携帯端末が開示されている。
【先行技術文献】
【特許文献】
【０００３】
【特許文献１】特開２００３−２９８７１５号公報
【発明の概要】
【発明が解決しようとする課題】
【０００４】
ところで、上記特許文献１に開示の技術では、表示画面に設けられた各種機能設定アイコンの内から所望する機能のアイコンをカーソルキー操作で選択し、さらに決定キー操作に応じて状態設定する為、表示されるアイコンの意味を知らなかったり、キー操作に不慣れであったりすると、ユーザ所望の機能を実行させることが出来ないことも起こり得る。つまり、換言すると、所望の機能を直感的な操作で実行させることが出来ない、という問題がある。
【０００５】
本発明は、このような事情に鑑みてなされたもので、所望の機能を直感的な操作で実行させることができる端末装置およびプログラムを提供することを目的としている。
【課題を解決するための手段】
【０００６】
上記目的を達成するため、請求項１に記載の発明では、端末装置の使用状況を取得する取得手段と、前記取得手段により取得された使用状況を示す識別情報を表示画面に表示する表示制御手段と、表示画面上の接触操作を検出する接触操作検出手段と、前記接触操作検出手段が、前記表示制御手段により画面表示された識別情報の表示領域における第１の接触操作を検出してから当該表示領域で行われる第２の接触操作を検出した場合に、検出された第１および第２の接触操作の内容に応じて、当該識別情報が示す使用状況に関連する複数の機能の何れかを選択する機能選択手段と、前記機能選択手段により選択された機能を実行する実行手段とを具備することを特徴とする。
【０００７】
上記請求項１に従属する請求項２に記載の発明では、前記機能選択手段は、前記接触操作検出手段が識別情報の表示領域を連続的に接触したことを表す第１および第２の接触操作を検出した場合、識別情報のダブルタッチ操作であることを判別する操作判別手段を備えることを特徴とする。
【０００８】
上記請求項１に従属する請求項３に記載の発明では、前記機能選択手段は、前記接触操作検出手段が識別情報の表示領域を接触する第１の接触操作を検出した後、当該表示領域を所定の表示位置に移動させるようになぞる第２の接触操作を検出した場合、識別情報のスライド操作であることを判別する操作判別手段を備えることを特徴とする。
【０００９】
上記請求項１に従属する請求項４に記載の発明では、前記表示制御手段により画面表示された識別情報が示す使用状況に基づき、前記機能選択手段によって選択された機能の実行の可否を判別する実行判別手段を更に備え、前記実行手段は、前記実行判別手段により実行可能と判別された場合に、前記機能選択手段により選択された機能を実行することを特徴とする。
【００１０】
上記請求項１に従属する請求項５に記載の発明では、通信手段を更に備え、前記取得手段は、この通信手段の通信状況を取得し、前記表示制御手段は、前記取得手段により取得された通信状況を示す識別情報を表示画面に表示することを特徴とする。
【００１１】
上記請求項５に従属する請求項６に記載の発明では、前記実行手段は、通信を制限する設定機能を実行することを特徴とする。
【００１２】
上記請求項５に従属する請求項７に記載の発明では、通信相手を指定する相手指定手段を更に備え、前記実行手段は、前記機能選択手段により選択された機能が通信機能の場合、前記相手指定手段により指定された通信相手との通信を実行することを特徴とする。
【００１３】
上記請求項７に従属する請求項８に記載の発明では、前記相手指定手段により指定された通信相手の識別情報に基づいて、複数の通信手段のいずれかを選択する通信選択手段を更に備え、前記実行手段は、前記通信選択手段により選択された通信手段を利用して、前記相手指定手段により指定された通信相手に対する通信機能を実行することを特徴とする。
【００１４】
上記請求項５に従属する請求項９に記載の発明では、データを指定するデータ指定手段を更に備え、前記実行手段は、前記機能選択手段により選択された機能が通信機能の場合、前記データ指定手段により指定されたデータを送信することを特徴とする。
【００１５】
上記請求項１に従属する請求項１０に記載の発明では、前記表示制御手段は、前記取得手段が端末装置の電源の使用状況を取得した場合、その取得された電源の使用状況を示す識別情報を表示画面に表示することを特徴とする。
【００１６】
上記請求項１０に従属する請求項１１に記載の発明では、前記実行手段は、主要動作を停止させるための電源オフ機能又は主要動作を開始させるための電源オン機能のいずれか一方を実行することを特徴とする。
【００１７】
上記請求項１０に従属する請求項１２に記載の発明では、前記実行手段は、消費電力を抑制する動作モードの設定機能を実行することを特徴とする。
【００１８】
上記請求項１に従属する請求項１３に記載の発明では、前記表示制御手段は、前記取得手段が時刻を取得した場合、その取得された時刻を示す識別情報を表示画面に表示することを特徴とする。
【００１９】
上記請求項１３に従属する請求項１４に記載の発明では、前記実行手段は、所定の時刻の到来を報知するアラーム設定機能又は所定の時間の経過を報知するタイマ設定機能のいずれか一方を実行することを特徴とする。
【００２０】
請求項１５に記載の発明では、通信手段と、前記通信手段の通信状況を取得する取得手段と、前記取得手段により取得された通信状況を示す識別情報を表示画面に表示する表示制御手段と、表示画面上の接触操作を検出する接触操作検出手段と、前記接触操作検出手段によって、前記表示制御手段により画面表示された識別情報の表示領域を指定する接触操作が検出された場合に、前記通信手段を用いた通信を実行する実行手段とを具備することを特徴とする。
【００２１】
上記請求項１５に従属する請求項１６に記載の発明では、通信相手を表示画面に表示する相手表示制御手段を更に備え、前記接触操作検出手段が、前記表示制御手段により画面表示された識別情報の表示領域を指定する第１の接触操作を検出した後、当該表示領域から前記相手表示制御手段により画面表示された通信相手の画面表示位置まで移動させる第２の接触操作を検出した場合、あるいは前記相手表示制御手段により画面表示された通信相手の画面表示位置を指定する第１の接触操作を検出した後、当該画面表示位置から前記表示制御手段により画面表示された識別情報の表示領域まで移動させる第２の接触操作を検出した場合に、前記実行手段は、前記通信相手との通信を実行することを特徴とする。
【００２２】
上記請求項１５に従属する請求項１７に記載の発明では、データを表示画面に表示するデータ表示制御手段を更に備え、前記接触操作検出手段が、前記表示制御手段により画面表示された識別情報の表示領域を指定する第１の接触操作を検出した後、当該表示領域から前記データ表示制御手段により画面表示されたデータの画面表示位置まで移動させる第２の接触操作を検出した場合、あるいは前記データ表示制御手段により画面表示されたデータの画面表示位置を指定する第１の接触操作を検出した後、当該画面表示位置から前記表示制御手段により画面表示された識別情報の表示領域まで移動させる第２の接触操作を検出した場合に、前記実行手段は、前記データの送信を実行することを特徴とする。
【００２３】
請求項１８に記載の発明では、端末装置の電源の使用状況を取得する取得手段と、前記取得手段により取得された電源の使用状況を示す識別情報を表示画面に表示する表示制御手段と、表示画面上の接触操作を検出する接触操作検出手段と、前記接触操作検出手段によって、前記表示制御手段により画面表示された識別情報の表示領域を指定する接触操作が検出された場合に、主要動作を停止させる電源オフ機能又は主要動作を開始させる電源オン機能のいずれか一方を実行する実行手段とを具備することを特徴とする。
【００２４】
請求項１９に記載の発明では、通信相手を識別する識別情報を表示画面に表示する表示制御手段と、表示画面上の接触操作を検出する接触操作検出手段と、前記接触操作検出手段によって、前記表示制御手段により画面表示された識別情報の表示領域を指定する接触操作が検出された場合に、その接触操作によって指定された識別情報の種別を判別する種別判別手段と、前記種別判別手段によって判別された種別に対応する情報を、接触操作で指定された表示領域の識別情報に付加する情報付加機能を実行する実行手段とを具備することを特徴とする。
【００２５】
上記請求項１９に従属する請求項２０に記載の発明では、前記実行手段は、識別情報の表示領域に所定の接触操作が行われた場合に、情報を識別情報に付加することを特徴とする。
【００２６】
上記請求項１９に従属する請求項２１に記載の発明では、前記実行手段は、識別情報の表示領域の前部で接触操作が行われた場合に、当該識別情報の先頭に情報を付加することを特徴とする。
【００２７】
上記請求項１９に従属する請求項２２に記載の発明では、前記実行手段は、識別情報の表示領域の後部で接触操作が行われた場合に、当該識別情報の末尾に情報を付加することを特徴とする。
【００２８】
上記請求項１９に従属する請求項２３に記載の発明では、前記実行手段は、識別情報の表示領域において所定位置を指定する第１の接触操作が行われた後、この第１の接触操作で指定された位置を移動させる第２の接触操作が行われた場合に、情報を識別情報に付加することを特徴とする。
【００２９】
上記請求項２３に従属する請求項２４に記載の発明では、前記実行手段は、第１の接触操作で指定された位置を右方向へ移動させる第２の接触操作が行われた場合に、識別情報の先頭に情報を付加することを特徴とする。
【００３０】
上記請求項２３に従属する請求項２５に記載の発明では、前記実行手段は、第１の接触操作で指定された位置を左方向へ移動させる第２の接触操作が行われた場合に、識別情報の末尾に情報を付加することを特徴とする。
【００３１】
上記請求項１９に従属する請求項２６に記載の発明では、接触操作によって指定された識別情報が、情報を付加することに適した識別情報か否かを判別する付加判別手段を更に備え、前記実行手段は、前記付加判別手段により情報を付加することに適した識別情報であると判別された場合に、識別情報に情報を付加することを特徴とする。
【００３２】
請求項２７に記載の発明では、端末装置に搭載されるコンピュータに、端末装置の使用状況を取得する取得ステップと、前記取得ステップにより取得された使用状況を示す識別情報を表示画面に表示する表示制御ステップと、表示画面上の接触操作を検出する接触操作検出ステップと、前記接触操作検出ステップが、前記表示制御ステップにて画面表示された識別情報の表示領域における第１の接触操作を検出してから当該表示領域で行われる第２の接触操作を検出した場合に、検出された第１および第２の接触操作の内容に応じて、当該識別情報が示す使用状況に関連する複数の機能の何れかを選択する機能選択ステップと、前記機能選択ステップにより選択された機能を実行する実行ステップとを実行させることを特徴とする。
【００３３】
請求項２８に記載の発明では、端末装置に搭載されるコンピュータに、通信ステップと、前記通信ステップの通信状況を取得する取得ステップと、前記取得ステップで取得された通信状況を示す識別情報を表示画面に表示する表示制御手ステップと、表示画面上の接触操作を検出する接触操作検出ステップと、前記接触操作検出ステップによって、前記表示制御ステップで画面表示された識別情報の表示領域を指定する接触操作が検出された場合に、前記通信ステップの通信を実行する実行ステップとを実行させることを特徴とする。
【００３４】
請求項２９に記載の発明では、端末装置に搭載されるコンピュータに、端末装置の電源の使用状況を取得する取得ステップと、前記取得ステップにより取得された電源の使用状況を示す識別情報を表示画面に表示する表示制御ステップと、表示画面上の接触操作を検出する接触操作検出ステップと、前記接触操作検出ステップによって、前記表示制御ステップで画面表示された識別情報の表示領域を指定する接触操作が検出された場合に、主要動作を停止させる電源オフ機能又は主要動作を開始させる電源オン機能のいずれか一方を実行する実行ステップとを実行させることを特徴とする。
【００３５】
請求項３０に記載の発明では、端末装置に搭載されるコンピュータに、通信相手を識別する識別情報を表示画面に表示する表示制御ステップと、表示画面上の接触操作を検出する接触操作検出ステップと、前記接触操作検出ステップによって、前記表示制御ステップで画面表示された識別情報の表示領域を指定する接触操作が検出された場合に、その接触操作によって指定された識別情報の種別を判別する種別判別ステップと、前記種別判別ステップによって判別された種別に対応する情報を、接触操作で指定された表示領域の識別情報に付加する情報付加機能を実行する実行ステップとを実行させることを特徴とする。
【発明の効果】
【００３６】
本発明では、所望の機能を直感的な操作で実行させることができる。
【図面の簡単な説明】
【００３７】
【図１】第１実施形態による携帯電話１０が有する機能の概要を説明する為のシステム構成図である。
【図２】第１実施形態による携帯電話１０の外観を示す斜視図である。
【図３】第１実施形態による携帯電話１０の電気的構成を示すブロック図である。
【図４】記憶部１０１のアイコン情報記憶部１０１ｃに記憶されるアイコン情報の一例を示す図である。
【図５】記憶部１０１の接触操作情報記憶部１０１ｄに記憶される接触操作情報の一例を示す図である。
【図６】記憶部１０１の機能情報記憶部１０１ｅに記憶される機能情報の一例を示す図である。
【図７】記憶部１０１の設定情報記憶部１０１ｆに記憶される設定情報の一例を示す図である。
【図８】第１実施形態によるメインルーチンの動作を示すフローチャートである。
【図９】第１実施形態によるメインルーチンの動作を示すフローチャートである。
【図１０】第１実施形態によるアイコン処理Ａの動作を示すフローチャートである。
【図１１】第１実施形態による電池アイコンタッチ操作処理の動作を示すフローチャートである。
【図１２】第１実施形態によるキー操作処理の動作を示すフローチャートである。
【図１３】第１実施形態によるタッチ操作処理の動作を示すフローチャートである。
【図１４】第１実施形態によるアイコン処理Ｂの動作を示すフローチャートである。
【図１５】第１実施形態による電波アイコンタッチ操作処理の動作を示すフローチャートである。
【図１６】第１実施形態による時刻アイコンタッチ操作処理の動作を示すフローチャートである。
【図１７】第１実施形態によるアイコン処理Ｃの動作を示すフローチャートである。
【図１８】第１実施形態による電波アイコン関連機能実行処理の動作を示すフローチャートである。
【図１９】第１実施形態による電波アイコン関連機能実行処理の動作を示すフローチャートである。
【図２０】第１実施形態による音声通話発信処理の動作を示すフローチャートである。
【図２１】第１実施形態によるメール発信処理の動作を示すフローチャートである。
【図２２】第１実施形態による近距離無線送信処理の動作を示すフローチャートである。
【図２３】第１実施形態による電池アイコン関連機能実行処理の動作を示すフローチャートである。
【図２４】第１実施形態による時刻アイコン関連機能実行処理の動作を示すフローチャートである。
【図２５】第１実施形態による電波アイコン関連機能実行処理の動作例を示す図である。
【図２６】第１実施形態による電波アイコン関連機能実行処理の動作例を示す図である。
【図２７】第１実施形態による電池アイコン関連機能実行処理の動作例を示す図である。
【図２８】第２実施形態による記憶部１０１に記憶される付加番号情報（先頭）、付加番号情報（末尾）および付加ドメイン情報の各構成を示す図である。
【図２９】第２実施形態によるアイコン処理Ｃの動作を示すフローチャートである。
【図３０】第２実施形態によるアイコン処理Ｃの動作を示すフローチャートである。
【図３１】第２実施形態によるアイコン処理Ｃの動作例を示す図である。
【図３２】第２実施形態によるアイコン処理Ｃの動作例を示す図である。
【発明を実施するための形態】
【００３８】
以下、図面を参照して本発明の実施の形態について説明する。
［第１実施形態］
Ａ．構成  
（１）システム構成
図１は、本発明の第１実施形態による携帯電話１０が有する機能の概要を説明する為のシステム構成図である。携帯電話１０は、移動無線通信機能およびメール送受信機能を備える。移動無線通信機能を用いて通話する場合、携帯電話１０は、位置登録している基地局ＢＳを介して発信側の交換機ＳＷに発呼する。発信側の交換機ＳＷは、発呼に応じて、無線通信網ＲＮ中に設けられる加入者登録サーバ（不図示）から問い合せた着番号（加入者番号）および位置登録情報に基づき着信側の交換機ＳＷを呼出す。着信側の交換機ＳＷは、着信側の基地局ＢＳを介して着信側の携帯電話１０を呼出し、これに応じて着信側が着呼応答すると、発信側の交換機ＳＷと着信側の交換機ＳＷとのリンクが確立して通話可能になる。
【００３９】
メール送受信機能を用いて携帯電話１０から送信されるメールは、基地局ＢＳ、交換機ＳＷおよび無線通信網ＲＮ中に設けられるゲートウェイサーバ（不図示）を経てインターネットＩＴＮ上のメール装置２０に伝送される。メール装置２０は、上述とは逆の経路を辿って宛先のメールアドレスを有する携帯電話１０にメールを送出するようになっている。
【００４０】
（２）携帯電話１０の外観
携帯電話１０は、受話部筐体と送話部筐体とが折り畳み可能な周知の折り畳み開閉タイプの筐体構造を有する。図２（ａ）は折り畳みを開いた「オープンスタイル」の外観を、図２（ｂ）は「オープンスタイル」において受話部筐体をその長手方向を回転軸として１８０度回転し表示画面を外側に露出させた状態で折り畳みを閉じた「ビュースタイル」の外観を示す斜視図である。なお、図示していないが、表示画面を内側に隠す状態で受話部筐体と送話部筐体とを折り畳んだ状態を「クローズスタイル」と称する。
【００４１】
図２に示すように、携帯電話１０の受話部筐体には、音声出力用のスピーカＳＰ（受話口）や、表示画面（液晶パネル）上に接触操作部１０５（透明タッチパネル）を備えた表示部１０６が配設される。携帯電話１０の送話部筐体には、音声入力用のマイクＭＩＣ（送話口）およびキー操作部１０７を構成する各種操作キーや操作ボタン等が設けられる。
【００４２】
（３）携帯電話１０の電気的構成
図３は、第１実施形態による携帯電話１０の電気的構成を示すブロック図である。この図において、制御部１００は、ＣＰＵおよび入出力回路などから構成され、後述する接触操作部１０５およびキー操作部１０７から供給される各種の操作イベントに応じて、携帯電話１０の各部の動作を制御する。本発明の要旨に係わる制御部１００の特徴的な処理動作については追って詳述する。
【００４３】
記憶部１０１は、ＲＯＭおよびＲＡＭから構成され、後述の各記憶部１０１ａ〜１０１ｋを有する。プログラム記憶部１０１ａには、制御部１００により実行される各種プログラムや、所定のプログラムにより参照される制御データの他、例えば待受画面などの各種表示画面を形成する画面データが記憶される。
【００４４】
なお、プログラム記憶部１０１ａに記憶される各種プログラムとは、追って詳述するメインルーチン、アイコン処理Ａ、電池アイコンタッチ処理、キー操作処理、タッチ操作処理、アイコン処理Ｂ、電波アイコンタッチ操作処理、時刻アイコンタッチ操作処理、アイコン処理Ｃ、電波アイコン関連機能実行処理、音声通話発信処理、メール発信処理、近距離無線送信処理、電池アイコン関連機能実行処理および時刻アイコン関連機能実行処理を含む。
【００４５】
各種情報一時記憶部１０１ｂには、各種レジスタ・フラグデータや、表示部１０６に画面表示する画面データなど携帯電話１０の動作に必要なデータが一時記憶される。アイコン情報記憶部１０１ｃには、表示部１０６に表示される各種アイコンの表示態様を指定するアイコン情報が記憶される。アイコン情報とは、具体的には図４に図示する一例のように、アイコンＩＤ、アイコン名およびアイコン表示態様を指定するデータから構成される。例えば、アイコンＩＤが「Ａ０１」の「電波アイコン」の場合、通信状況を示す電波受信レベルに対応してアイコン表示態様を指定するデータを指定するようになっている。
【００４６】
接触操作情報記憶部１０１ｄには、図５に図示する通り、操作ＩＤに対応したタッチ操作の内容を表す接触操作情報が記憶される。つまり、接触操作情報とは、接触操作部１０５においてなされる接触操作（タッチ操作およびスライド操作）を表すデータであり、例えば操作ＩＤが「Ｂ０１」の場合には「シングルタッチ」操作を表す。機能情報記憶部１０１ｅには、図６に図示する電波アイコン用機能情報、電池アイコン用機能情報および時刻アイコン用機能情報が記憶される。
【００４７】
図６（ａ）は、電波アイコン用機能情報の一例を示す図である。電波アイコン用機能情報とは、電波アイコンが示す通信状況に関連する機能で、電波アイコンに割り当てる機能の内容を表すデータである。その機能内容は機能ＩＤで指定される。例えば機能ＩＤが「Ｃ０１」であれば、電波アイコンに「電波オフモード設定／解除」する機能を割り当てることを表す。
【００４８】
図６（ｂ）は、電池アイコン用機能情報の一例を示す図である。電池アイコン用機能情報とは、電池アイコンが示す電源の使用状況に関連する機能で、電池アイコンに割り当てる機能の内容を表すデータである。その機能内容は機能ＩＤで指定される。例えば機能ＩＤが「Ｄ０１」であれば、電池アイコンに「電源オン／オフ」する機能を割り当てることを表す。
【００４９】
図６（ｃ）は、時刻アイコン用機能情報の一例を示す図である。時刻アイコン用機能情報とは、時刻アイコンが示す時刻状況に関連する機能で、時刻アイコンに割り当てる機能の内容を表すデータである。その機能内容は機能ＩＤで指定される。例えば機能ＩＤが「Ｅ０１」であれば、電池アイコンに「アラーム設定／解除」する機能を割り当てることを表す。
【００５０】
設定情報記憶部１０１ｆには、それぞれのアイコン（電波アイコン、電池アイコン、時刻アイコンなど）に対してどのような接触操作（タッチ操作およびスライド操作）をすると、どの機能を実行するかを表す設定情報が記憶される。具体的には、図７に図示するように、アイコンＩＤで指定されるアイコンにおいて、操作ＩＤで指定される操作内容の接触操作が行われた場合に実行される機能内容を機能ＩＤで指定する情報である。ここで、アイコンＩＤとはアイコン情報記憶部１０１ｃ（図４参照）に、操作ＩＤとは接触操作情報記憶部１０１ｄ（図５参照）に、機能ＩＤとは機能情報記憶部１０１ｅにそれぞれ記憶される情報である。
【００５１】
図７に図示する一例において、例えば電波アイコン（アイコンＩＤ：「Ａ０１」）がダブルタッチ（操作ＩＤ：「Ｂ０２」）された場合には、電波オフモード設定／解除（機能ＩＤ：「Ｃ０１」）する機能が実行指示される。なお、図７に図示する機能ＩＤにおける太枠は、ユーザ設定される機能ＩＤを表す。すなわち、ユーザの設定操作によって、アイコンＩＤ（アイコン種別）と操作ＩＤ（操作内容）とに対応付けられる機能ＩＤ（機能内容）をユーザ所望のものに設定することも可能になっている。
【００５２】
相手情報記憶部１０１ｇには、アドレス帳データ、発信履歴データおよび着信履歴データなどが記憶される。データ記憶部１０１ｈには、ユーザデータ（静止画像データ、動画像データ、音楽データなど）が記憶される。メール記憶部１０１ｉには、送受信メールデータが記憶される。モード情報記憶部１０１ｊには、携帯電話１０の各種動作モード（省電力モード、電波オフモード、無音着信モードなど）の設定／解除の状態などを表すデータが記憶される。アラーム・タイマ情報記憶部１０１ｋには、アラーム時刻データなどが記憶される。
【００５３】
無線通信送受信部１０２は、データ通信時には制御部１００の制御の下に、アンテナＡＮＴ１を介して基地局ＢＳとデータ授受を行い、音声通話時にはアンテナＡＮＴ１を介して受信復調した音声データを制御部１００に出力する一方、制御部１００から供給される音声データを変調して得た送信信号を高周波増幅してアンテナＡＮＴ１から送出する。近距離無線通信部１０３は、制御部１００の制御の下に、ユーザ指定のデータを無線送信する。なお、近距離無線通信部１０３から無線送信されるデータは、例えばワイヤレスヘッドホンなどのＢｌｕｅｔｏｏｔｈ（登録商標）対応機器で受信可能になる。
【００５４】
音声信号処理部１０４は、スピーカＳＰおよびマイクＭＩＣを備え、制御部１００から供給される音声データを音声信号にＤ／Ａ変換してスピーカＳＰから発音させたり、マイクＭＩＣから出力される音声信号を音声データにＡ／Ｄ変換して制御部１００に供給する。接触操作部１０５は、表示部１０６の表示画面上に配設される透明タッチパネルから構成され、その透明タッチパネルの接触操作（タッチ操作やスライド操作）に応じた出力（操作イベント）を発生する。表示部１０６は、カラー液晶パネルおよび表示ドライバから構成され、制御部１００の制御の下に、待受画面など各種画面を表示したり、前述した各種アイコン（電波アイコン、電池アイコン、時刻アイコンなど）を画面表示する。
【００５５】
キー操作部１０７には、パワーオンオフする電源スイッチ、通話開始／終了時に操作されるオフフック／オンフックスイッチ、ダイヤルスイッチと兼用の文字入力スイッチ等の各種操作キーを有し、これらキーやボタンの操作に応じたイベントを発生して制御部１００に出力する。ＲＴＣ１０８は、時刻経時やタイマ割り込みに用いるリアルタイムクロックを発生して制御部１００に供給する。報知部１０９は、制御部１００から供給される報知信号に応じて報知動作（サウンドスピーカ１０９ａの鳴音、ＬＥＤ１０９ｂの発光および振動モータ１０９ｃの駆動）を行う。電池部１１０は携帯電話１０の各部を駆動する駆動電圧を発生する。
【００５６】
Ｂ．動作  
次に、図８〜図２７を参照して上記構成による携帯電話１０の動作を説明する。以下では、制御部１００が実行するメインルーチン、アイコン処理Ａ、電池アイコンタッチ処理、キー操作処理、タッチ操作処理、アイコン処理Ｂ、電波アイコンタッチ操作処理、時刻アイコンタッチ操作処理、アイコン処理Ｃ、電波アイコン関連機能実行処理、音声通話発信処理、メール発信処理、近距離無線送信処理、電池アイコン関連機能実行処理および時刻アイコン関連機能実行処理の各動作について述べる。
【００５７】
（１）メインルーチンの動作
図８〜図９は、制御部１００が実行するメインルーチンの動作を示すフローチャートである。電源オフされている携帯電話１０では、制御部１００がステップＳＡ１において所定周期毎に電池部１１０の電池残量を検出する。電池残量を検出するタイミングになると、このステップＳＡ１の判断結果が「ＹＥＳ」になり、ステップＳＡ２に進み、電池部１１０が発生する駆動電圧レベルに基づき電池残量を検出し、検出した電池残量に応じた電池アイコンの表示態様をアイコン情報記憶部１０１ｃから読み出して電池アイコンの表示を更新した後、上記ステップＳＡ１に処理を戻す。
【００５８】
電池残量を検出するタイミング下でなければ、上記ステップＳＡ１の判断結果は「ＮＯ」になり、ステップＳＡ３に進む。ステップＳＡ３では、電源オン操作の有無を判断する。電源スイッチがオン操作されると、判断結果は「ＹＥＳ」になり、ステップＳＡ４に進み、電源オンに応じて携帯電話１０の各部をイニシャライズする電源オン処理を実行した後、後述の待受処理（ステップＳＡ７）に進む。
【００５９】
一方、電源オン操作が行われなければ、上記ステップＳＡ３の判断結果は「ＮＯ」になり、ステップＳＡ５に進み、接触操作部１０５におけるタッチ操作の有無を判断する。タッチ操作が行われなければ、判断結果は「ＮＯ」になり、上記ステップＳＡ１に処理を戻す。これに対し、タッチ操作が行われると、上記ステップＳＡ５の判断結果が「ＹＥＳ」となり、ステップＳＡ６を介してアイコン処理Ａを実行した後、ステップＳＡ７の待受処理に進む。なお、アイコン処理Ａでは、後述するように、電池アイコンが「シングルタッチ」された時に電源オン可能な電池残量が有れば、電源オン処理を実行するようになっている。
【００６０】
さて、電源オン操作もしくはタッチ操作が行われてステップＳＡ７に進むと、制御部１００は無線通信網ＲＮに位置登録を行って待ち受け状態に入る待受処理を実行する。なお、待ち受け状態になると、表示部１０６には待受画面（図示略）や各種アイコン（電波アイコン、電池アイコン、時刻アイコンなど）が画面表示される。
【００６１】
続いて、ステップＳＡ８〜ＳＡ１２および図９のステップＳＡ１３〜ＳＡ１５では、それぞれ「電波状況検出」、「電池残量検出」、「時刻更新検出」、「キー操作」、「タッチ操作」、「着信」、「電源オフ操作」および「その他の操作」の各イベントの有無を判断する。これらイベントが発生しなければ、ステップＳＡ８〜ＳＡ１２および図９のステップＳＡ１３〜ＳＡ１５の各判断結果はいずれも「ＮＯ」になり、上記ステップＳＡ７の待ち受け状態のまま待機する。そして、この待ち受け状態において上記イベントのいずれかが発生すると、その発生したイベントに対応した処理を実行する。以下、イベント別に分けて動作説明を進める。
【００６２】
＜電波状況検出の場合＞
電波状況検出イベントは一定期間毎に発生する。そのイベントタイミングになると、上記ステップＳＡ８の判断結果は「ＹＥＳ」になり、ステップＳＡ１６に進む。ステップＳＡ１６では、電波状況（無線通信部１０２の通信状況）を検出した結果に応じて、アイコン情報記憶部１０１ｃから読み出されるアイコン情報に従って電波アイコンの表示を更新した後、上記ステップＳＡ７の待ち受け状態に復帰する。
【００６３】
＜電池残量検出の場合＞
電池残量検出イベントは一定期間毎に発生する。そのイベントタイミングになると、上記ステップＳＡ９の判断結果は「ＹＥＳ」になり、ステップＳＡ１７に進む。ステップＳＡ１７では、電池部１１０が発生する駆動電圧レベルに基づき電池残量（電源の使用状況）を検出した結果に応じて、アイコン情報記憶部１０１ｃから読み出されるアイコン情報に従って電池アイコンの表示を更新した後、上記ステップＳＡ７の待ち受け状態に復帰する。
【００６４】
＜時刻更新検出の場合＞
時刻更新検出イベントは所定周期毎に発生する。そのイベントタイミングになると、上記ステップＳＡ１０の判断結果は「ＹＥＳ」になり、ステップＳＡ１８に進む。ステップＳＡ１８では、ＲＴＣ１０８が発生するリアルタイムクロックに基づき計時される時刻情報（時刻状況）に従って時刻アイコンの表示を更新した後、上記ステップＳＡ７の待ち受け状態に復帰する。
【００６５】
＜キー操作の場合＞
キー操作部１０７のいずれかのキーが操作されてキー操作イベントが発生すると、上記ステップＳＡ１１の判断結果が「ＹＥＳ」になり、ステップＳＡ１９を介してキー操作処理（後述する）を実行した後、上記ステップＳＡ７の待ち受け状態に復帰する。
【００６６】
＜タッチ操作の場合＞
接触操作部１０５のタッチ操作（接触操作）に応じてタッチ操作イベントが発生すると、上記ステップＳＡ１２の判断結果が「ＹＥＳ」になり、ステップＳＡ２０を介してタッチ操作処理（後述する）を実行した後、上記ステップＳＡ７の待ち受け状態に復帰する。
【００６７】
＜着信検知の場合＞
着信検知イベントが発生すると、図９に図示するステップＳＡ１３の判断結果が「ＹＥＳ」になり、ステップＳＡ２１に進み、音声通話処理を実行する。音声通話処理では、着信報知を行うと共に、この着信報知中にオフフック操作されると発呼側と回線接続して通話を開始させ、通話中にオンフック操作されると回線切断する。こうして音声通話処理を終えると、上記ステップＳＡ７の待ち受け状態に復帰する。
【００６８】
＜電源オフ操作の場合＞
電源オフ操作されると、上記ステップＳＡ１４の判断結果が「ＹＥＳ」になり、ステップＳＡ２２に進み、電源オフ処理を実行した後、本処理を完了させる。
【００６９】
＜その他の操作の場合＞
その他の操作（例えば発信操作やメール受信操作など）が行われると、ステップＳＡ１５の判断結果が「ＹＥＳ」となり、ステップＳＡ２３に進み、操作に対応した処理を実行した後、上記ステップＳＡ７の待ち受け状態に復帰する。
【００７０】
（２）アイコン処理Ａの動作
次に、図１０を参照してアイコン処理Ａの動作について説明する。上述したメインルーチンのステップＳＡ６（図８参照）を介して本処理が実行されると、制御部１００は図１０に図示するステップＳＢ１に進み、電池アイコンがタッチ操作されたか否かを判断する。電池アイコンがタッチ操作されなければ、判断結果は「ＮＯ」になり、上述したメインルーチンのステップＳＡ１（図８参照）に処理を戻す。
【００７１】
一方、電池アイコンがタッチ操作された場合には、上記ステップＳＢ１の判断結果が「ＹＥＳ」となり、ステップＳＢ２を介して電池アイコンタッチ操作処理を実行する。電池アイコンタッチ操作処理では、後述するように、電池アイコン上で行われるタッチ操作（シングルタッチ、ダブルタッチおよび電池アイコンをタッチして画面中央部にスライド）の内容に応じた設定情報（機能ＩＤ）を設定情報記憶部１０１ｆから読み出す。すなわち、電池アイコンのタッチ操作が「シングルタッチ」ならば機能ＩＤ「Ｄ０１」の設定情報を発生し、「ダブルタッチ」ならば機能ＩＤ「Ｄ０２」の設定情報を発生し、「電池アイコンをタッチして画面中央部にスライド」ならば機能ＩＤ「Ｄ０２」の設定情報を発生する。
【００７２】
次いで、ステップＳＢ３では、上記ステップＳＢ２の電池アイコンタッチ操作処理において生成された設定情報が機能ＩＤ「Ｄ０１」であるか否かを判断する。設定情報が機能ＩＤ「Ｄ０１」でなければ、判断結果は「ＮＯ」となり、この場合、電池アイコンにアサインされたタッチ操作が行われていないと見なして前述のメインルーチンのステップＳＡ１（図８参照）に処理を戻す。
【００７３】
一方、電池アイコンタッチ操作処理において生成された設定情報が機能ＩＤ「Ｄ０１」であると、上記ステップＳＢ３の判断結果は「ＹＥＳ」となり、ステップＳＢ４に進み、電源オン可能な電池残量であるかどうかを判断する。電源オン可能な電池残量が無ければ、判断結果は「ＮＯ」となり、ステップＳＢ５に進み、表示部１０６に電源オン出来ない旨を画面表示して前述のメインルーチンのステップＳＡ１（図８参照）に処理を戻す。これに対し、電源オン可能な電池残量が有れば、上記ステップＳＢ４の判断結果は「ＹＥＳ」となり、ステップＳＢ６に進み、電源オン処理を実行して本処理を終える。
【００７４】
（３）電池アイコンタッチ操作処理の動作
次に、図１１を参照して電池アイコンタッチ操作処理の動作について説明する。上述したアイコン処理ＡのステップＳＢ２（図１０参照）を介して本処理が実行されると、制御部１００は図１１に図示するステップＳＣ１に進み、タッチ操作が「シングルタッチ」であるか否かを判断する。なお、「シングルタッチ」とは、接触操作部１０５（透明タッチパネル）において電池アイコンの表示領域を１回触れる操作を指す。
【００７５】
タッチ操作が「シングルタッチ」ならば、上記ステップＳＣ１の判断結果は「ＹＥＳ」となり、ステップＳＣ２に進み、電池アイコンを「シングルタッチ」した時の機能ＩＤを設定情報記憶部１０１ｆから読み出す。すなわち、アイコン情報記憶部１０１ｃの登録内容（図４参照）から特定される電池アイコンのアイコンＩＤ「Ａ０２」と、接触操作情報記憶部１０１ｄの登録内容（図５参照）から特定される「シングルタッチ」の操作ＩＤ「Ｂ０１」とに対応する設定情報（図７参照）として、機能ＩＤ「Ｄ０１」を設定情報記憶部１０１ｆから読み出して本処理を終える。
【００７６】
一方、タッチ操作が「シングルタッチ」でなければ、上記ステップＳＣ１の判断結果は「ＮＯ」になり、ステップＳＣ３に進み、タッチ操作が「ダブルタッチ」であるか否かを判断する。なお、「ダブルタッチ」とは、接触操作部１０５（透明タッチパネル）において電池アイコンの表示領域を連続して２回触れる操作を指す。
【００７７】
そして、タッチ操作が「ダブルタッチ」であると、上記ステップＳＣ３の判断結果が「ＹＥＳ」となり、ステップＳＣ４に進む。ステップＳＣ４では、電池アイコンを「ダブルタッチ」した時の機能ＩＤを設定情報記憶部１０１ｆから読み出す。すなわち、アイコン情報記憶部１０１ｃの登録内容（図４参照）から特定される電池アイコンのアイコンＩＤ「Ａ０２」と、接触操作情報記憶部１０１ｄの登録内容（図５参照）から特定される「ダブルタッチ」の操作ＩＤ「Ｂ０２」とに対応する設定情報（図７参照）として、機能ＩＤ「Ｄ０２」を設定情報記憶部１０１ｆから読み出して本処理を終える。
【００７８】
タッチ操作が「ダブルタッチ」でない場合には、上記ステップＳＣ３の判断結果が「ＮＯ」になり、ステップＳＣ５に進み、タッチ操作が「電池アイコンをタッチして画面中央部にスライド」であるか否かを判断する。なお、「電池アイコンをタッチして画面中央部にスライド」とは、接触操作部１０５（透明タッチパネル）において電池アイコンの表示領域をタッチしてから画面中央部までなぞる操作を指す。タッチ操作が「電池アイコンをタッチして画面中央部にスライド」でなければ、上記ステップＳＣ５の判断結果は「ＮＯ」になり、この場合、電池アイコンにアサインされたタッチ操作が行われていないと見なして本処理を終える。
【００７９】
一方、タッチ操作が「電池アイコンをタッチして画面中央部にスライド」であると、上記ステップＳＣ５の判断結果が「ＹＥＳ」となり、ステップＳＣ６に進み、電池アイコンから「画面中央部にスライド」した時の機能ＩＤを設定情報記憶部１０１ｆから読み出す。すなわち、アイコン情報記憶部１０１ｃの登録内容（図４参照）から特定される電池アイコンのアイコンＩＤ「Ａ０２」と、接触操作情報記憶部１０１ｄの登録内容（図５参照）から特定される「画面中央部にスライド」の操作ＩＤ「Ｂ０３」とに対応する設定情報（図７参照）として、機能ＩＤ「Ｄ０２」を設定情報記憶部１０１ｆから読み出して本処理を終える。
【００８０】
このように、電池アイコンタッチ操作処理では、タッチ操作が「シングルタッチ」、「ダブルタッチ」および「電池アイコンをタッチして画面中央部にスライド」のいずれであるかを判別し、「シングルタッチ」の場合には機能ＩＤ「Ｄ０１」の設定情報を発生し、「ダブルタッチ」の場合には機能ＩＤ「Ｄ０２」の設定情報を発生し、「電池アイコンをタッチして画面中央部にスライド」の場合には機能ＩＤ「Ｄ０２」の設定情報を発生するようになっている。
【００８１】
（４）キー操作処理の動作
次に、図１２を参照してキー操作処理の動作について説明する。前述したメインルーチンのステップＳＡ１９（図８参照）を介して本処理が実行されると、制御部１００は図１２に図示するステップＳＤ１に進み、キー操作部１０７において為されたキー操作が設定操作であるか否かを判断する。設定操作であったならば、判断結果は「ＹＥＳ」となり、ステップＳＤ２に進む。ステップＳＤ２では、設定情報記憶部１０１ｆに記憶される設定情報（図７参照）において、アイコンＩＤ（アイコン種別）と操作ＩＤ（操作内容）とに対応付けられる機能ＩＤ（機能内容）をユーザ所望のものに設定する設定処理を実行して本処理を終える。
【００８２】
一方、キー操作部１０７において為されたキー操作が設定操作でなかった場合には、上記ステップＳＤ１の判断結果が「ＮＯ」になり、ステップＳＤ３に進む。ステップＳＤ３では、キー操作部１０７において為されたキー操作が相手情報指定操作であるか否かを判断する。相手情報指定操作とは、相手情報記憶部１０１ｇに記憶されるアドレス帳データ、発信履歴データおよび着信履歴データのいずれかを選択して画面表示し、その中から所望の相手情報（メールアドレス／電話番号）を指定する操作を指す。
【００８３】
相手情報指定操作であったならば、上記ステップＳＤ３の判断結果は「ＹＥＳ」になり、ステップＳＤ４に進み、相手情報指定操作により指定された相手情報を相手情報記憶部１０１ｇから読み出して表示部１０６に画面表示し、続くステップＳＤ５では、その表示された相手情報を各種情報一時記憶部１０１ｂに一時記憶して本処理を終える。
【００８４】
これに対し、キー操作部１０７において為されたキー操作が相手情報指定操作でなかった場合には、上記ステップＳＤ３の判断結果が「ＮＯ」になり、ステップＳＤ６に進む。ステップＳＤ６では、キー操作部１０７において為されたキー操作がデータ指定操作であるか否かを判断する。データ指定操作とは、データ記憶部１０１ｈに記憶されるユーザデータ（静止画像データ、動画像データ、音楽データなど）のいずれかを指定する操作を指す。
【００８５】
データ指定操作であったならば、上記ステップＳＤ６の判断結果は「ＹＥＳ」になり、ステップＳＤ７に進み、データ指定操作により指定されたユーザデータをデータ記憶部１０１ｈから読み出して表示部１０６に画面表示し、続くステップＳＤ８では、その表示されたユーザデータを各種情報一時記憶部１０１ｂに一時記憶して本処理を終える。データ指定操作でなければ、上記ステップＳＤ６の判断結果は「ＮＯ」になり、ステップＳＤ９に進み、その他の処理を実行して本処理を終える。なお、その他の処理とは、例えば相手情報（メールアドレス／電話番号）を相手情報記憶部１０１ｇに新規登録したり、新たなユーザデータをデータ記憶部１０１ｈに登録したりする等の処理を指す。
【００８６】
（５）タッチ操作処理の動作
次に、図１３を参照してタッチ操作処理の動作について説明する。前述したメインルーチンのステップＳＡ２０（図８参照）を介して本処理が実行されると、制御部１００は図１３に図示するステップＳＥ１に進み、接触操作部１０５において為されたタッチ操作が設定操作であるか否かを判断する。設定操作であったならば、判断結果は「ＹＥＳ」となり、ステップＳＥ２に進む。ステップＳＥ２では、設定情報記憶部１０１ｆに記憶される設定情報（図７参照）において、アイコンＩＤ（アイコン種別）と操作ＩＤ（操作内容）とに対応付けられる機能ＩＤ（機能内容）をユーザ所望のものに設定する設定処理を実行して本処理を終える。
【００８７】
一方、接触操作部１０５において為されたタッチ操作が設定操作でなかった場合には、上記ステップＳＥ１の判断結果が「ＮＯ」になり、ステップＳＥ３に進む。ステップＳＥ３では、接触操作部１０５において為されたタッチ操作が相手情報指定操作であるか否かを判断する。相手情報指定操作とは、相手情報記憶部１０１ｇに記憶されるアドレス帳データ、発信履歴データおよび着信履歴データのいずれかを選択して画面表示し、その中から所望の相手情報（メールアドレス／電話番号）を指定する操作を指す。
【００８８】
相手情報指定操作であったならば、上記ステップＳＥ３の判断結果は「ＹＥＳ」になり、ステップＳＥ４に進み、相手情報指定操作により指定された相手情報を相手情報記憶部１０１ｇから読み出して表示部１０６に画面表示し、続くステップＳＥ５では、その表示された相手情報を各種情報一時記憶部１０１ｂに一時記憶して本処理を終える。
【００８９】
これに対し、接触操作部１０５において為されたタッチ操作が相手情報指定操作でなかった場合には、上記ステップＳＥ３の判断結果が「ＮＯ」になり、ステップＳＥ６に進む。ステップＳＥ６では、接触操作部１０５において為されたタッチ操作がデータ指定操作であるか否かを判断する。データ指定操作とは、データ記憶部１０１ｈに記憶されるユーザデータ（静止画像データ、動画像データ、音楽データなど）のいずれかを指定する操作を指す。
【００９０】
データ指定操作であったならば、上記ステップＳＥ６の判断結果が「ＹＥＳ」になり、ステップＳＥ７に進み、データ指定操作により指定されたユーザデータをデータ記憶部１０１ｈから読み出して表示部１０６に画面表示し、続くステップＳＥ８では、その表示されたユーザデータを各種情報一時記憶部１０１ｂに一時記憶して本処理を終える。
【００９１】
一方、データ指定操作でなかった場合には、上記ステップＳＥ６の判断結果は「ＮＯ」になり、ステップＳＥ９に進み、接触操作部１０５において為されたタッチ操作がアイコンタッチであるか否かを判断する。アイコンタッチであると、判断結果は「ＹＥＳ」になり、ステップＳＥ１０を介してアイコン処理Ｂを実行して本処理を終える。アイコン処理Ｂでは、後述するように、タッチ操作したアイコン種類（電波アイコン、電池アイコンおよび時刻アイコンなど）にアサインされた複数の機能の内、タッチ操作の内容（「シングルタッチ」、「ダブルタッチ」、「画面中央部にスライド」および「相手情報／データにスライド」）に応じて決まる設定情報（機能ＩＤ）に従った機能を実行する。
【００９２】
さて、アイコンタッチでない場合には、上記ステップＳＥ９の判断結果が「ＮＯ」になり、ステップＳＥ１１に進み、接触操作部１０５において為されたタッチ操作が、相手情報／データのタッチであるか否かを判断する。なお、相手情報／データのタッチとは、表示部１０６の画面に表示される相手情報（メールアドレスや電話番号）又はデータ（画像など）のいずれかをタッチする操作を指す。
【００９３】
接触操作部１０５において為されたタッチ操作が、相手情報／データのタッチでなければ、上記ステップＳＥ１１の判断結果は「ＮＯ」になり、ステップＳＥ１２に進み、例えば相手情報（メールアドレス／電話番号）を相手情報記憶部１０１ｇに新規登録したり、新たなユーザデータをデータ記憶部１０１ｈに登録したりする等、その他の処理を実行して本処理を終える。
【００９４】
これに対し、接触操作部１０５において為されたタッチ操作が、相手情報／データのタッチならば、上記ステップＳＥ１１の判断結果は「ＹＥＳ」になり、ステップＳＥ１３に進み、タッチ操作された相手情報もしくはデータを各種情報一時記憶部１０１ｂに一時記憶する。そして、ステップＳＥ１４を介してアイコン処理Ｃ（図１７参照）を実行した後、本処理を終える。
【００９５】
アイコン処理Ｃでは、後述するように、「相手情報／データをタッチした状態で電波アイコンまでスライド」すると、機能ＩＤ「Ｃ０２＋Ｃ０３」の設定情報を生成し、これに基づき相手情報をタッチして電波アイコンにスライドした場合であれば、音声通話発信（相手情報が電話番号の場合）／メール発信（相手情報がメールアドレスの場合）を行い、データをタッチして電波アイコンにスライドした場合であれば、そのタッチしたデータを近距離無線通信部１０３から無線送信するようになっている。
【００９６】
（６）アイコン処理Ｂの動作
次に、図１４を参照してアイコン処理Ｂの動作について説明する。上述したタッチ操作処理のステップＳＥ１０（図１３参照）を介して本処理が実行されると、制御部１００は図１４に図示するステップＳＦ１に進む。ステップＳＦ１〜ＳＦ３では、タッチ操作されたアイコンが「電波アイコン」、「電池アイコン」および「時刻アイコン」のいずれであるかをそれぞれ判別する。以下、タッチ操作されたアイコンが「電波アイコン」の場合、「電池アイコン」の場合、「時刻アイコン」の場合、「それら以外のアイコン」の場合に分けて動作説明を進める。
【００９７】
＜電波アイコンの場合＞
タッチ操作されたアイコンが「電波アイコン」であると、ステップＳＦ１の判断結果が「ＹＥＳ」となり、ステップＳＦ５に進み、電波アイコンタッチ操作処理（図１５参照）を実行する。電波アイコンタッチ操作処理では、後述するように、タッチ操作が「シングルタッチ」、「ダブルタッチ」、「画面中央部にスライド」および「相手情報／データからスライド」のいずれであるかを判別し、「シングルタッチ」の場合には機能ＩＤ「Ｃ０２＋Ｃ０３」の設定情報を発生し、「ダブルタッチ」の場合には機能ＩＤ「Ｃ０１」の設定情報を発生し、「画面中央部にスライド」の場合には機能ＩＤ「Ｃ０１」の設定情報を発生し、「相手情報／データからスライド」の場合には機能ＩＤ「Ｃ０２＋Ｃ０３」の設定情報を発生する。
【００９８】
こうして、電波アイコンに係わるタッチ操作に応じた設定情報（機能ＩＤ）が生成されると、ステップＳＦ６を介して電波アイコン関連機能実行処理を実行する。電波アイコン関連機能実行処理では、後述するように、電波アイコンタッチ操作処理にて生成される設定情報（機能ＩＤ）に応じた処理を実行する。
【００９９】
具体的には、電波アイコンの「ダブルタッチ」もしくは電波アイコンをタッチして「画面中央部にスライド」した場合に生成される機能ＩＤ「Ｃ０１」の設定情報に応じて、電波オフモードを設定したり解除したりする。また、「相手情報／データをタッチした状態で電波アイコンまでスライド」した場合に生成される機能ＩＤ「Ｃ０２＋Ｃ０３」の設定情報に応じて、相手情報をタッチして電波アイコンにスライドした場合であれば、音声通話発信（相手情報が電話番号の場合）／メール発信（相手情報がメールアドレスの場合）を行い、データをタッチして電波アイコンにスライドした場合であれば、そのタッチしたデータを近距離無線通信部１０３から無線送信する。
【０１００】
＜電池アイコンの場合＞
タッチ操作されたアイコンが「電池アイコン」であると、ステップＳＦ２の判断結果が「ＹＥＳ」となり、ステップＳＦ７に進み、電池アイコンタッチ操作処理（図１１参照）を実行する。電池アイコンタッチ操作処理では、前述したように、タッチ操作が「シングルタッチ」、「ダブルタッチ」および「画面中央部にスライド」のいずれであるかを判別し、「シングルタッチ」の場合には機能ＩＤ「Ｄ０１」の設定情報を発生し、「ダブルタッチ」の場合には機能ＩＤ「Ｄ０２」の設定情報を発生し、「画面中央部にスライド」の場合には機能ＩＤ「Ｄ０２」の設定情報を発生する。
【０１０１】
こうして、電池アイコンに係わるタッチ操作に応じた設定情報（機能ＩＤ）が生成されると、ステップＳＦ８を介して電池アイコン関連機能実行処理を実行する。電池アイコン関連機能実行処理では、後述するように、生成された機能ＩＤが「Ｄ０１」（電池アイコンの「シングルタッチ」）の場合には電源オフ処理を実行する。また、生成された機能ＩＤが「Ｄ０２」（電池アイコンの「ダブルタッチ」又は電池アイコンをタッチして「画面中央部にスライド」）の場合には、省電力モード下であったならば省電力モードを解除し、一方、省電力モード下でなければ省電力モードに設定する。
【０１０２】
＜時刻アイコンの場合＞
タッチ操作されたアイコンが「時刻アイコン」であると、ステップＳＦ３の判断結果が「ＹＥＳ」となり、ステップＳＦ９に進み、時刻アイコンタッチ操作処理（図１６参照）を実行する。時刻アイコンタッチ操作処理では、後述するように、タッチ操作が「ダブルタッチ」および「画面中央部にスライド」のいずれであるかを判別し、「ダブルタッチ」の場合には機能ＩＤ「Ｅ０２」の設定情報を発生し、「画面中央部にスライド」の場合には機能ＩＤ「Ｅ０１」の設定情報を発生する。
【０１０３】
こうして、時刻アイコンに係わるタッチ操作に応じた設定情報（機能ＩＤ）が生成されると、ステップＳＦ１０を介して時刻アイコン関連機能実行処理（図２４参照）を実行する。時刻アイコン関連機能実行処理では、後述するように、時刻アイコンをタッチして「画面中央部にスライド」して機能ＩＤ「Ｅ０１」の設定情報が生成されると、アラーム設定／解除を実行し、時刻アイコンの「ダブルタッチ」で機能ＩＤ「Ｅ０２」の設定情報が生成されると、タイマ設定／解除を実行する。
【０１０４】
＜それら以外のアイコンの場合＞
タッチ操作されたアイコンが上記各アイコン以外ならば、ステップＳＦ１〜ＳＦ３の各判断結果はいずれも「ＮＯ」となり、ステップＳＦ４に進み、タッチ操作されたアイコン種に対応した、その他の処理を実行して本処理を終える。
【０１０５】
（７）電波アイコンタッチ操作処理の動作
次に、図１５を参照して電波アイコンタッチ操作処理の動作について説明する。上述したアイコン処理ＢのステップＳＦ５（図１４参照）を介して本処理が実行されると、制御部１００は図１５に図示するステップＳＧ１に進み、タッチ操作が「シングルタッチ」であるか否かを判断する。なお、「シングルタッチ」とは、接触操作部１０５（透明タッチパネル）において電波アイコンの表示領域を１回触れる操作を指す。
【０１０６】
タッチ操作が「シングルタッチ」ならば、上記ステップＳＧ１の判断結果は「ＹＥＳ」となり、ステップＳＧ２に進み、電波アイコンを「シングルタッチ」した時の機能ＩＤを設定情報記憶部１０１ｆから読み出す。すなわち、アイコン情報記憶部１０１ｃの登録内容（図４参照）から特定される電波アイコンのアイコンＩＤ「Ａ０１」と、接触操作情報記憶部１０１ｄの登録内容（図５参照）から特定される「シングルタッチ」の操作ＩＤ「Ｂ０１」とに対応する設定情報（図７参照）として、機能ＩＤ「Ｃ０２＋Ｃ０３」を設定情報記憶部１０１ｆから読み出して本処理を終える。
【０１０７】
一方、タッチ操作が「シングルタッチ」でなければ、上記ステップＳＧ１の判断結果は「ＮＯ」になり、ステップＳＧ３に進み、タッチ操作が「ダブルタッチ」であるか否かを判断する。なお、「ダブルタッチ」とは、接触操作部１０５（透明タッチパネル）において電波アイコンの表示領域を連続して２回触れる操作を指す。
【０１０８】
そして、タッチ操作が「ダブルタッチ」であると、上記ステップＳＧ３の判断結果が「ＹＥＳ」となり、ステップＳＧ４に進む。ステップＳＧ４では、電波アイコンを「ダブルタッチ」した時の機能ＩＤを設定情報記憶部１０１ｆから読み出す。すなわち、アイコン情報記憶部１０１ｃの登録内容（図４参照）から特定される電波アイコンのアイコンＩＤ「Ａ０１」と、接触操作情報記憶部１０１ｄの登録内容（図５参照）から特定される「ダブルタッチ」の操作ＩＤ「Ｂ０２」とに対応する設定情報（図７参照）として、機能ＩＤ「Ｃ０１」を設定情報記憶部１０１ｆから読み出して本処理を終える。
【０１０９】
タッチ操作が「ダブルタッチ」でない場合には、上記ステップＳＧ３の判断結果が「ＮＯ」になり、ステップＳＧ５に進み、タッチ操作が「画面中央部にスライド」であるか否かを判断する。なお、「画面中央部にスライド」とは、接触操作部１０５（透明タッチパネル）において電波アイコンの表示領域をタッチしてから表示部１０６の画面中央部までなぞる操作を指す。
【０１１０】
タッチ操作が「画面中央部にスライド」であると、上記ステップＳＧ５の判断結果が「ＹＥＳ」となり、ステップＳＧ６に進み、電波アイコンから「画面中央部にスライド」した時の機能ＩＤを設定情報記憶部１０１ｆから読み出す。すなわち、アイコン情報記憶部１０１ｃの登録内容（図４参照）から特定される電波アイコンのアイコンＩＤ「Ａ０１」と、接触操作情報記憶部１０１ｄの登録内容（図５参照）から特定される「画面中央部にスライド」の操作ＩＤ「Ｂ０３」とに対応する設定情報（図７参照）として、機能ＩＤ「Ｃ０１」を設定情報記憶部１０１ｆから読み出して本処理を終える。
【０１１１】
一方、タッチ操作が「画面中央部にスライド」でなければ、上記ステップＳＧ５の判断結果は「ＮＯ」になり、ステップＳＧ７に進み、タッチ操作が「相手情報／データからスライド」であるか否かを判断する。なお、「相手情報／データからスライド」とは、接触操作部１０５（透明タッチパネル）において画面表示中の相手情報又はデータをタッチして電波アイコンの表示領域までなぞる操作を指す。
【０１１２】
タッチ操作が「相手情報／データからスライド」でなければ、上記ステップＳＧ７の判断結果は「ＮＯ」となり、この場合、無効なタッチ操作であると見なして本処理を終える。これに対し、タッチ操作が「相手情報／データからスライド」であると、判断結果が「ＹＥＳ」になり、ステップＳＧ８に進み、「相手情報／データからスライド」した時の機能ＩＤを設定情報記憶部１０１ｆから読み出す。すなわち、アイコン情報記憶部１０１ｃの登録内容（図４参照）から特定される電波アイコンのアイコンＩＤ「Ａ０１」と、接触操作情報記憶部１０１ｄの登録内容（図５参照）から特定される「相手情報／データにタッチしてアイコンにスライド」の操作ＩＤ「Ｂ０４」とに対応する設定情報（図７参照）として、機能ＩＤ「Ｃ０２＋Ｃ０３」を設定情報記憶部１０１ｆから読み出して本処理を終える。
【０１１３】
このように、電波アイコンタッチ操作処理では、タッチ操作が「シングルタッチ」、「ダブルタッチ」、「画面中央部にスライド」および「相手情報／データからスライド」のいずれであるかを判別し、「シングルタッチ」の場合には機能ＩＤ「Ｃ０２＋Ｃ０３」の設定情報を、「ダブルタッチ」の場合には機能ＩＤ「Ｃ０１」の設定情報を、「画面中央部にスライド」の場合には機能ＩＤ「Ｃ０１」の設定情報を、「相手情報／データからスライド」の場合には機能ＩＤ「Ｃ０２＋Ｃ０３」の設定情報をそれぞれ発生するようになっている。
【０１１４】
（８）時刻アイコンタッチ操作処理の動作
次に、図１６を参照して時刻アイコンタッチ操作処理の動作について説明する。上述したアイコン処理ＢのステップＳＦ９（図１４参照）を介して本処理が実行されると、制御部１００は図１６に図示するステップＳＨ１に進み、タッチ操作が「ダブルタッチ」であるか否かを判断する。なお、「ダブルタッチ」とは、接触操作部１０５（透明タッチパネル）において時刻アイコンの表示領域を連続して２回触れる操作を指す。
【０１１５】
タッチ操作が「ダブルタッチ」であると、上記ステップＳＨ１の判断結果が「ＹＥＳ」となり、ステップＳＨ２に進み、時刻アイコンを「ダブルタッチ」した時の機能ＩＤを設定情報記憶部１０１ｆから読み出す。すなわち、アイコン情報記憶部１０１ｃの登録内容（図４参照）から特定される時刻アイコンのアイコンＩＤ「Ａ０３」と、接触操作情報記憶部１０１ｄの登録内容（図５参照）から特定される「ダブルタッチ」の操作ＩＤ「Ｂ０２」とに対応する設定情報（図７参照）として、機能ＩＤ「Ｅ０２」を設定情報記憶部１０１ｆから読み出して本処理を終える。
【０１１６】
タッチ操作が「ダブルタッチ」でなければ、上記ステップＳＨ１の判断結果は「ＮＯ」になり、ステップＳＨ３に進み、タッチ操作が「画面中央部にスライド」であるか否かを判断する。なお、「画面中央部にスライド」とは、接触操作部１０５（透明タッチパネル）において時刻アイコンの表示領域をタッチしてから表示部１０６の画面中央部までなぞる操作を指す。
【０１１７】
タッチ操作が「画面中央部にスライド」であると、上記ステップＳＨ３の判断結果が「ＹＥＳ」となり、ステップＳＨ４に進み、電波アイコンから「画面中央部にスライド」した時の機能ＩＤを設定情報記憶部１０１ｆから読み出す。すなわち、アイコン情報記憶部１０１ｃの登録内容（図４参照）から特定される時刻アイコンのアイコンＩＤ「Ａ０３」と、接触操作情報記憶部１０１ｄの登録内容（図５参照）から特定される「画面中央部にスライド」の操作ＩＤ「Ｂ０３」とに対応する設定情報（図７参照）として、機能ＩＤ「Ｅ０１」を設定情報記憶部１０１ｆから読み出して本処理を終える。タッチ操作が「画面中央部にスライド」でない場合には、上記ステップＳＨ３の判断結果が「ＮＯ」となり、この場合、無効なタッチ操作であると見なして本処理を終える。
【０１１８】
このように、時刻アイコンタッチ操作処理では、タッチ操作が「ダブルタッチ」および「画面中央部にスライド」のいずれであるかを判別し、「ダブルタッチ」の場合には機能ＩＤ「Ｅ０２」の設定情報を発生し、「画面中央部にスライド」の場合には機能ＩＤ「Ｅ０１」の設定情報を発生するようになっている。
【０１１９】
（９）アイコン処理Ｃの動作
次に、図１７を参照してアイコン処理Ｃの動作について説明する。前述したタッチ操作処理のステップＳＥ１４（図１３参照）を介して本処理が実行されると、制御部１００は図１７に図示するステップＳＪ１に進む。ステップＳＪ１では、相手情報（メールアドレスや電話番号）もしくはデータ（画像など）をタッチした状態で電波アイコンまでスライドしたか否かを判断する。電波アイコンまでスライドしていなければ、判断結果は「ＮＯ」になり、ステップＳＪ２に進み、タッチされたその他のアイコンに応じた処理を実行して本処理を終える。
【０１２０】
一方、相手情報（メールアドレスや電話番号）もしくはデータ（画像など）をタッチした状態で電波アイコンまでスライドした場合には、上記ステップＳＪ１の判断結果が「ＹＥＳ」になり、ステップＳＪ３に進む。ステップＳＪ３では、「相手情報／データをタッチした状態で電波アイコンまでスライド」した時の機能ＩＤを設定情報記憶部１０１ｆから読み出す。すなわち、アイコン情報記憶部１０１ｃの登録内容（図４参照）から特定される電波アイコンのアイコンＩＤ「Ａ０１」と、接触操作情報記憶部１０１ｄの登録内容（図５参照）から特定される「相手情報／データにタッチしてアイコンにスライド」の操作ＩＤ「Ｂ０４」とに対応する設定情報（図７参照）として、機能ＩＤ「Ｃ０２＋Ｃ０３」を設定情報記憶部１０１ｆから読み出す。
【０１２１】
そして、ステップＳＪ４では、電波アイコン関連機能実行処理を実行する。電波アイコン関連機能実行処理では、後述するように、上記ステップＳＪ３にて生成された機能ＩＤ「Ｃ０２＋Ｃ０３」に基づき、相手情報をタッチして電波アイコンにスライドした場合であれば、音声通話発信（相手情報が電話番号の場合）／メール発信（相手情報がメールアドレスの場合）を行い、データをタッチして電波アイコンにスライドした場合であれば、そのタッチしたデータを近距離無線通信部１０３から無線送信する。
【０１２２】
以上のように、アイコン処理Ｃでは、「相手情報／データをタッチした状態で電波アイコンまでスライド」すると、機能ＩＤ「Ｃ０２＋Ｃ０３」の設定情報を生成する。そして、生成された機能ＩＤ「Ｃ０２＋Ｃ０３」に基づき、相手情報（電話番号）をタッチして電波アイコンにスライドした場合には音声通話発信を行い、相手情報（メールアドレス）をタッチして電波アイコンにスライドした場合にはメール発信を行い、データをタッチして電波アイコンにスライドした場合にはそのタッチしたデータを近距離無線通信部１０３から無線送信するようになっている。
【０１２３】
（１０）電波アイコン関連機能実行処理の動作
次に、図１８〜図１９、図２５〜図２６を参照して電波アイコン処関連機能処理の動作について説明する。前述したアイコン処理ＢのステップＳＦ６（図１４参照）又は上述したアイコン処理ＣのステップＳＪ４（図１７参照）を介して本処理が実行されると、制御部１００は図１８に図示するステップＳＫ１に進み、機能ＩＤが生成されているか否かを判断する。機能ＩＤが生成されていなければ、判断結果は「ＹＥＳ」となり、本処理を終えるが、機能ＩＤが生成されていると、判断結果は「ＮＯ」になり、ステップＳＫ２に進む。
【０１２４】
ステップＳＫ２〜ＳＫ３および図１９に図示するステップＳＫ４〜ＳＫ５では、生成された機能ＩＤが「Ｃ０１」、「Ｃ０２」、「Ｃ０３」および「Ｃ０２＋Ｃ０３」のいずれであるかを判別する。以下、機能ＩＤが「Ｃ０１」、「Ｃ０２」、「Ｃ０３」および「Ｃ０２＋Ｃ０３」の各場合に分けて動作説明を進める。
【０１２５】
＜機能ＩＤが「Ｃ０１」の場合＞
機能ＩＤが「Ｃ０１」であると、ステップＳＫ２の判断結果が「ＹＥＳ」となり、ステップＳＫ７に進む。ステップＳＫ７では、現在、電波の送信を停止する電波オフモードに設定されているかどうかを判断する。そして、電波オフモードに設定されていれば、判断結果は「ＹＥＳ」となり、ステップＳＫ８に進み、電波オフモードを解除して電波の送信を開始させて本処理を終える。一方、電波オフモードに設定されていなければ、上記ステップＳＫ７の判断結果は「ＮＯ」になり、ステップＳＫ９に進み、電波オフモードに設定して本処理を終える。
【０１２６】
したがって、例えば図２５（ａ）に図示するように、電波オフモードに設定されていない状態でユーザが電波アイコンをタッチして画面中央部にスライドさせたとする。そうすると、そのタッチ操作に対応する設定情報として機能ＩＤ「Ｃ０１」が生成され、上述の動作に基づき、図２５（ｂ）に図示する一例のように電波オフモードに設定される。これにより、所望の機能を直感的な操作で実行させることが可能になる。
【０１２７】
なお、上記ステップＳＫ７〜ＳＫ８では、現在のモード設定状態に応じて自動的に電波オフモードの設定／解除を行うようにしているが、これに替えて、電波オフモードの設定／解除を指定する画面を表示し、ユーザ操作によっていずれか一方を選択する態様であっても構わない。
【０１２８】
＜機能ＩＤが「Ｃ０２」の場合＞
機能ＩＤが「Ｃ０２」であると、ステップＳＫ３の判断結果が「ＹＥＳ」となり、ステップＳＫ１０に進み、相手情報（電話番号又はメールアドレス）が指定されているか否かを判断する。相手情報が指定されていれば、判断結果は「ＹＥＳ」となり、ステップＳＫ１１に進み、指定された相手情報が電話番号であるか否かを判断する。指定された相手情報が電話番号であると、判断結果は「ＹＥＳ」となり、ステップＳＫ１２を介して音声通話発信処理（図２０参照）を実行した後、本処理を終える。音声都和発信処理では、後述するように、通信可能な電波状況であると、指定された相手電話に基づき発信して通話する。
【０１２９】
一方、指定された相手情報がメールアドレスの場合には、上記ステップＳＫ１１の判断結果が「ＮＯ」になり、ステップＳＫ１３を介してメール発信処理（図２１参照）を実行した後、本処理を終える。メール発信処理では、後述するように、通信可能な電波状況であると、データ添付された作成メールを指定されたメールアドレス宛に送信する。
【０１３０】
これに対し、相手情報（電話番号又はメールアドレス）が指定されていない場合には、上記ステップＳＫ１０の判断結果が「ＮＯ」になり、ステップＳＫ１４に進む。ステップＳＫ１４では、表示部１０６に音声通話／メールのいずれを指定するのかを確認する画面を表示部１０６に表示し、続くステップＳＫ１５では、その確認画面において音声通話が選択されたか否かを判断する。ユーザが音声通話を選択した場合には、上記ステップＳＫ１５の判断結果が「ＹＥＳ」となり、ステップＳＫ１６を介して音声通話発信処理（図２０参照）を実行して本処理を終える。一方、ユーザがメールを選択した場合には、上記ステップＳＫ１５の判断結果が「ＮＯ」となり、上記ステップＳＫ１３を介してメール発信処理（図２１参照）を実行して本処理を終える。
【０１３１】
＜機能ＩＤが「Ｃ０３」の場合＞
機能ＩＤが「Ｃ０３」であると、図１９に図示するステップＳＫ４の判断結果が「ＹＥＳ」となり、ステップＳＫ１７を介して近距離無線送信処理（図２２参照）を実行した後、本処理を終える。近距離無線送信処理では、後述するように、指定したデータを近距離無線通信部１０３から無線送信する。
【０１３２】
＜機能ＩＤが「Ｃ０２＋Ｃ０３」の場合＞
機能ＩＤが「Ｃ０２＋Ｃ０３」の場合、すなわち「相手情報／データをタッチした状態で電波アイコンまでスライド」させた場合には、ステップＳＫ５の判断結果が「ＹＥＳ」となり、ステップＳＫ１８に進む。ステップＳＫ１８では、相手情報（電話番号又はメールアドレス）が指定されているか否かを判断する。つまり、タッチ操作で指定されたものが相手情報又はデータのいずれであるかを判別する。
【０１３３】
タッチ操作で相手情報が指定されている場合には、上記ステップＳＫ１８の判断結果が「ＹＥＳ」となり、上述したステップＳＫ１１（図１８参照）に進み、指定された相手情報が電話番号であるか否かを判断する。指定された相手情報が電話番号ならば、上記ステップＳＫ１１の判断結果は「ＹＥＳ」となり、ステップＳＫ１２に進み、通信可能な電波状況下において、指定された相手電話に基づき発信して通話する音声通話発信処理を実行して本処理を終える。
【０１３４】
一方、指定された相手情報がメールアドレスならば、上記ステップＳＫ１１の判断結果は「ＮＯ」になり、ステップＳＫ１３に進み、通信可能な電波状況下において、データ添付された作成メールを指定されたメールアドレス宛に送信するメール発信処理を実行して本処理を終える。
【０１３５】
これに対し、タッチ操作でデータが指定されている場合には、上記ステップＳＫ１８の判断結果が「ＮＯ」になり、ステップＳＫ１７に進み、タッチ操作により指定されたデータを近距離無線通信部１０３から無線送信する近距離無線送信処理を実行して本処理を終える。
【０１３６】
したがって、例えば図２６（ａ）に図示するように、表示部１０６にアドレス帳データをリスト表示している時に、電話番号（相手情報）をタッチした状態で電波アイコンまでスライドさせると、そのタッチ操作に対応する設定情報として機能ＩＤ「Ｃ０２＋Ｃ０３」が生成され、上述の動作に基づき、図２６（ｂ）に図示する一例のように、タッチした電話番号に基づき音声通話発信を開始する結果、所望の機能を直感的な操作で実行させることが可能になる。
【０１３７】
なお、機能ＩＤが「Ｃ０１」、「Ｃ０２」、「Ｃ０３」および「Ｃ０２＋Ｃ０３」以外の場合には、上述したステップＳＫ１〜ＳＫ５の各判断結果がいずれも「ＮＯ」になり、ステップＳＫ６に進み、その他の機能ＩＤにアサインされた処理を実行して本処理を終える。また、上述したステップＳＫ１８では、タッチ操作で指定されたものが相手情報又はデータのいずれであるかを判別する態様としたが、これに限らず、音声通話発信／メール発信／近距離無線送信のいずれかを選択する機能選択画面を表示部１０６に表示し、ユーザ操作によっていずれかの機能を選択的に実行させる態様としても構わない。
【０１３８】
（１１）音声通話発信処理の動作
次に、図２０を参照して音声通話発信処理の動作について説明する。上述した電波アイコン関連機能実行処理のステップＳＫ１２又はステップＳＫ１６（図１８参照）を介して本処理が実行されると、制御部１００は図２０に図示するステップＳＬ１に進み、通信可能な電波状況であるか否かを判断する。通信可能な電波状況でなければ、判断結果は「ＮＯ」になり、ステップＳＬ２に進み、音声通話できない旨のメッセージを表示部１０６に画面表示して本処理を終えるが、通信可能な電波状況ならば、判断結果が「ＹＥＳ」になり、ステップＳＬ３に進む。
【０１３９】
ステップＳＬ３では、相手情報（電話番号）が指定されているか否かを判断する。指定されていなければ、判断結果は「ＮＯ」となり、ステップＳＬ４に進み、相手情報（電話番号）を指定する指定操作を行った後、ステップＳＬ５に進む。一方、相手情報（電話番号）が指定済みであると、上記ステップＳＬ３の判断結果は「ＹＥＳ」になり、ステップＳＬ５に進み、指定された相手電話に基づき発信して音声通話を行った後、本処理を終える。
【０１４０】
（１２）メール発信処理の動作
次に、図２１を参照してメール発信処理の動作について説明する。上述した電波アイコン関連機能実行処理のステップＳＫ１３（図１８参照）を介して本処理が実行されると、制御部１００は図２１に図示するステップＳＭ１に進み、通信可能な電波状況であるか否かを判断する。通信可能な電波状況でなければ、判断結果は「ＮＯ」になり、ステップＳＭ２に進み、メール発信できない旨のメッセージを表示部１０６に画面表示して本処理を終えるが、通信可能な電波状況ならば、判断結果が「ＹＥＳ」になり、ステップＳＭ３に進む。
【０１４１】
ステップＳＭ３では、相手情報（メールアドレス）が指定されているか否かを判断する。指定されていなければ、判断結果は「ＮＯ」となり、ステップＳＭ４に進み、相手情報（メールアドレス）を指定する指定操作を行った後、ステップＳＭ５に進む。一方、相手情報（メールアドレス）が指定済みであると、上記ステップＳＭ３の判断結果は「ＹＥＳ」になり、ステップＳＭ５に進む。ステップＳＭ５では、ユーザの入力操作に応じて送信メールを作成する処理を実行する。
【０１４２】
メール作成が完了すると、ステップＳＭ６に進み、送信メールに添付するデータが指定されているかどうかを判断する。未指定ならば、判断結果は「ＮＯ」になり、ステップＳＭ７に進み、添付するデータを指定するデータ添付操作を行った後、ステップＳＭ９に進む。なお、データ添付が不要な場合には上記ステップＳＭ７のデータ添付操作を省略する。
【０１４３】
一方、送信メールに添付するデータが指定済みであると、上記ステップＳＭ６の判断結果が「ＹＥＳ」になり、ステップＳＭ８に進み、上記ステップＳＭ５において作成した送信メールにデータ添付し、続くステップＳＭ９では、そのメールを送信して本処理を終える。
【０１４４】
（１３）近距離無線送信処理の動作
次に、図２２を参照して近距離無線送信処理の動作について説明する。前述した電波アイコン関連機能実行処理のステップＳＫ１７（図１９参照）を介して本処理が実行されると、制御部１００は図２２に図示するステップＳＮ１に進み、送信すべきデータが指定されているかどうかを判断する。指定されていなければ、判断結果は「ＮＯ」となり、ステップＳＮ３に進み、送信すべきデータを指定するデータ指定操作を行った後、ステップＳＮ３に進む。一方、送信すべきデータが指定済みならば、上記ステップＳＮ１の判断結果が「ＹＥＳ」になり、ステップＳＮ３に進み、指定されたデータを近距離無線通信部１０３から無線送信して本処理を終える。
【０１４５】
（１４）電池アイコン関連機能実行処理の動作
次に、図２３を参照して電池アイコン処関連機能処理の動作について説明する。前述したアイコン処理ＢのステップＳＦ８（図１４参照）を介して本処理が実行されると、制御部１００は図２３に図示するステップＳＰ１に進み、機能ＩＤが生成されているか否かを判断する。機能ＩＤが生成されていなければ、判断結果は「ＹＥＳ」となり、本処理を終えるが、機能ＩＤが生成されている場合には、判断結果が「ＮＯ」になり、ステップＳＰ２に進む。
【０１４６】
ステップＳＰ２では、生成された機能ＩＤが「Ｄ０１」、つまり電池アイコンの「シングルタッチ」であるかどうかを判断する。電池アイコンの「シングルタッチ」ならば、判断結果は「ＹＥＳ」になり、ステップＳＰ３に進み、携帯電話１０の電源をオフ設定する電源オフ処理を実行して本処理を終える。
【０１４７】
一方、生成された機能ＩＤが「Ｄ０１」でなければ、上記ステップＳＰ２の判断結果は「ＮＯ」になり、ステップＳＰ４に進む。ステップＳＰ４では、生成された機能ＩＤが「Ｄ０２」、つまり電池アイコンの「ダブルタッチ」又は電池アイコンをタッチして「画面中央部にスライド」したか否かを判断する。生成された機能ＩＤが「Ｄ０２」でない場合、つまり「ダブルタッチ」又は「画面中央部にスライド」以外のタッチ操作であると、上記ステップＳＰ４の判断結果が「ＮＯ」となり、ステップＳＰ５に進み、生成された機能ＩＤに対応した、その他の処理を実行して本処理を終える。
【０１４８】
これに対し、生成された機能ＩＤが「Ｄ０２」の場合、つまり「ダブルタッチ」又は「画面中央部にスライド」された場合には、上記ステップＳＰ４の判断結果が「ＹＥＳ」になり、ステップＳＰ６に進む。ステップＳＰ６では、省電力モード下であるか否かを判断する。省電力モード下ならば、判断結果は「ＹＥＳ」になり、ステップＳＰ７に進む。ステップＳＰ７では、省電力モードを解除するか否かを指定する画面を表示部１０６に表示し、その表示に従ってユーザが解除を指定すれば、省電力モードを解除して本処理を終える。
【０１４９】
一方、省電力モード下でなければ、上記ステップＳＰ６の判断結果は「ＮＯ」になり、ステップＳＰ８に進む。ステップＳＰ８では、省電力モードに設定するか否かを指定する画面を表示部１０６に表示し、その表示に従ってユーザが設定を指定すれば、省電力モードに設定して本処理を終える。なお、ここで言う省電力モードとは、特定の機能の動作を制限したり、表示部１０６の明るさやスピーカＳＰの出力音量を下げる動作態様を指す。
【０１５０】
以上のように、電池アイコン関連機能実行処理では、生成された機能ＩＤが「Ｄ０１」（電池アイコンの「シングルタッチ」）の場合には、電源オフ処理を実行し、生成された機能ＩＤが「Ｄ０２」（電池アイコンの「ダブルタッチ」又は電池アイコンをタッチして「画面中央部にスライド」）の場合には、省電力モード下であったならば省電力モードを解除し、一方、省電力モード下でなければ省電力モードに設定する。
【０１５１】
したがって、例えば図２７（ａ）に図示するように、省電力モード下においてユーザが電池アイコンをタッチして画面中央部にスライドさせたとする。そうすると、そのタッチ操作に対応する設定情報として機能ＩＤ「Ｃ０２」が生成され、上述の動作に基づき、図２７（ｂ）に図示する一例のように、省電力モードに設定するか否かを指定する画面を表示部１０６に表示し、その表示に従ってユーザが設定を指定すれば、省電力モードに設定される。これにより、所望の機能を直感的な操作で実行させることが可能になる。
【０１５２】
（１５）時刻アイコン関連機能実行処理の動作
次に、図２４を参照して時刻アイコン処関連機能処理の動作について説明する。前述したアイコン処理ＢのステップＳＦ１０（図１４参照）を介して本処理が実行されると、制御部１００は図２４に図示するステップＳＱ１に進み、機能ＩＤが生成されているか否かを判断する。機能ＩＤが生成されていなければ、判断結果は「ＹＥＳ」となり、本処理を終えるが、機能ＩＤが生成されている場合には、判断結果が「ＮＯ」になり、ステップＳＱ２に進む。
【０１５３】
ステップＳＱ２では、生成された機能ＩＤが「Ｅ０１」であるかどうかを判断する。機能ＩＤが「Ｅ０１」の場合、すなわち時刻アイコンをタッチして「画面中央部にスライド」した場合には、判断結果が「ＹＥＳ」となり、ステップＳＱ３に進む。ステップＳＱ３では、現在、アラーム設定されているか否かを判断する。アラーム設定されていると、判断結果は「ＹＥＳ」となり、ステップＳＱ４に進み、アラーム解除して本処理を終える。一方、アラーム設定されていなければ、上記ステップＳＱ３の判断結果は「ＮＯ」になり、ステップＳＱ５に進み、アラーム設定して本処理を終える。なお、ここで言うアラーム設定とは、ユーザ操作によりアラーム時刻を設定したり、予め指定しておいた時刻をアラーム時刻に設定することを指す。
【０１５４】
これに対し、生成された機能ＩＤが「Ｅ０１」でない場合には、上記ステップＳＱ２の判断結果が「ＮＯ」になり、ステップＳＱ６に進む。ステップＳＱ６では、生成された機能ＩＤが「Ｅ０２」であるか否かを判断する。機能ＩＤが「Ｅ０２」でなければ、判断結果は「ＮＯ」になり、ステップＳＱ７に進み、生成された機能ＩＤに対応した、その他の処理を実行して本処理を終える。
【０１５５】
一方、生成された機能ＩＤが「Ｅ０２」の場合、つまり時刻アイコンの「ダブルタッチ」ならば、上記ステップＳＱ６の判断結果が「ＹＥＳ」になり、ステップＳＱ８に進む。ステップＳＱ８では、現在、タイマ設定されているか否かを判断する。タイマ設定されていると、判断結果は「ＹＥＳ」となり、ステップＳＱ９に進み、タイマ解除して本処理を終える。一方、タイマ設定されていなければ、上記ステップＳＱ８の判断結果が「ＮＯ」になり、ステップＳＱ１０に進み、タイマ設定して本処理を終える。なお、ここで言うタイマ設定とは、ユーザ操作により計時期間を設定したり、予め指定しておいた時間を計時期間に設定することを指す。
【０１５６】
このように、時刻アイコン関連機能実行処理では、時刻アイコンをタッチして「画面中央部にスライド」して機能ＩＤ「Ｅ０１」の設定情報が生成された場合には、アラーム設定／解除を実行し、時刻アイコンの「ダブルタッチ」で機能ＩＤ「Ｅ０２」の設定情報が生成された場合には、タイマ設定／解除を実行するので、所望の機能を直感的な操作で実行させることが可能になる。
【０１５７】
以上説明したように、第１実施形態では、表示部１０６上に配設される接触操作部１０５の出力に基づき、例えば電波受信強度を表す電波アイコンの「ダブルタッチ」もしくは電波アイコンをタッチして「画面中央部にスライド」する接触操作を検出すると、その操作に対応して生成される機能ＩＤ「Ｃ０１」の設定情報に従って電波送信を止める電波オフモードに設定したり解除したりする。
【０１５８】
また、例えば「相手情報／データをタッチした状態で電波アイコンまでスライド」する接触操作を検出すると、その操作に対応して生成される機能ＩＤ「Ｃ０２＋Ｃ０３」の設定情報に従い、相手情報をタッチして電波アイコンにスライドした場合、相手情報が電話番号ならば音声通話発信を行い、相手情報がメールアドレスならばメール発信を行う。さらに、データをタッチして電波アイコンにスライドした場合にはそのタッチしたデータを近距離無線通信部１０３から無線送信する。
【０１５９】
また、電池残量を表す電池アイコンを「シングルタッチ」する接触操作を検出すると、その操作に対応して生成される機能ＩＤ「Ｄ０１」の設定情報に従って携帯電話１０のパワーをオフする。また例えば、電池アイコンの「ダブルタッチ」や、電池アイコンをタッチして「画面中央部にスライド」する接触操作を検出すると、その操作に対応して生成される機能ＩＤ「Ｄ０２」の設定情報に従い、省電力モードに設定したり解除したりする。
【０１６０】
さらに、現在時刻を表す時刻アイコンをタッチして「画面中央部にスライド」する接触操作を検出すると、その操作に対応して生成される機能ＩＤ「Ｅ０１」の設定情報に従ってアラーム設定／解除を実行する。また、例えば時刻アイコンを「ダブルタッチ」する接触操作を検出すると、その操作に対応して生成される機能ＩＤ「Ｅ０２」の設定情報に従ってタイマ設定／解除を実行する。
【０１６１】
この結果、直感的かつ確実な操作で使用状況（電波受信強度、電池残量および時刻）に関連する機能を実行することが可能になる。また、それら機能を実行させるための専用のソフトキーや専用のアイコンを設ける必要も無くなるという効果も奏する。さらには、使用状況の計測結果（受信電波強度、電池残量および時刻）を示すアイコン（電波アイコン、電池アイコンおよび時刻アイコン）は、ユーザに報知するために常時表示しているので、それらを表示させる処理を新規に追加する必要が無い、という効果も有する。
【０１６２】
［第２実施形態］
次に、第２実施形態について説明する。第２実施形態の構成は、上述した第１実施形態と共通するので、その説明については省略する。第２実施形態が上述の第１実施形態と相違する点は、通信相手の識別情報（電話番号又はメールアドレス）をタッチしてスライドする接触操作を検出すると、その操作に対応して記憶部１０１から読み出される付加番号情報を、相手情報に付加するアイコン処理Ｃを実行することにある。以下では、記憶部１０１に記憶される付加番号情報の構成およびそれを用いる第２実施形態によるアイコン処理Ｃの動作について述べる。
【０１６３】
（１）付加番号情報の構成
図２８は、記憶部１０１に記憶される付加番号情報の構成を示す図である。付加番号情報は、付加番号情報（先頭）、付加番号情報（末尾）および付加ドメイン情報に大別される。図２８（ａ）は、付加番号情報（先頭）の構成を示す。付加番号情報（先頭）は、通信相手の識別情報として表示中の電話番号の先頭付近をタッチして右方向（電話番号末尾の方向）にスライドする接触操作を検出した場合に、その操作に応じて当該電話番号の先頭に付加する番号と、既に付加された番号にさらに付加可能な番号とを規定する情報である。
【０１６４】
電話番号の先頭に付加する番号は、番号ＩＤ、番号名および番号から構成される。例えば番号ＩＤ「Ｆ０１」の番号名「非通知」は非通知発信を表す番号「１８４」となる。既に付加された番号に更に付加可能な番号は、番号ＩＤ毎に付加の可否を表す。なお、図中の「○」は既に付加されている番号（番号ＩＤ）に更に付加できる番号（番号ＩＤ）であることを表す。また、図中の「×」は既に付加されている番号（番号ＩＤ）に更に付加できない番号（番号ＩＤ）であることを表す。具体的に説明すると、例えば番号ＩＤ「Ｆ０１（非通知）」は、番号ＩＤ「Ｆ０１（非通知）」および番号ＩＤ「Ｆ０２（通知）」には更に付加できない番号なので「×」となるが、番号ＩＤ「Ｆ０３（国際電話）」には付加可能なので「○」となる。
【０１６５】
図２８（ｂ）は、付加番号情報（末尾）の構成を示す図である。付加番号情報（末尾）は、通信相手の識別情報として表示中の電話番号の末尾付近をタッチして左方向（電話番号先頭の方向）にスライドする接触操作を検出した場合に、その操作に応じて当該電話番号の末尾に付加する番号を表す情報であり、番号ＩＤ、番号名、番号および設定フラグから構成される。設定フラグは、「１」の場合に選択状態を表し、「０」の場合に非選択状態を表す。
【０１６６】
図２８（ｃ）は、付加ドメイン情報の構成を示す図である。付加ドメイン情報は、通信相手の識別情報として表示中のメールアドレスをタッチして左方向（メールアドレス先頭の方向）にスライドする接触操作を検出した場合に、その操作に応じて当該メールアドレスの末尾に付加するドメインを表す情報であり、ドメインＩＤ、ドメイン名、ドメインおよび設定フラグから構成される。設定フラグは、「１」の場合に選択状態を表し、「０」の場合に非選択状態を表す。
【０１６７】
（２）第２実施形態によるアイコン処理Ｃの動作
次に、図２９〜図３２を参照して第２実施形態によるアイコン処理Ｃの動作について説明する。第２実施形態によるアイコン処理Ｃは、前述の第１実施形態と同様にタッチ操作処理のステップＳＥ１４（図１３参照）を介して実行される。本処理が実行されると、制御部１００は図２９に図示するステップＳＲ１に進む。ステップＳＲ１では、相手情報（通信相手の識別情報）として表示中の電話番号がタッチ操作されたか否かを判断し、図３０に図示するステップＳＲ２では、相手情報として表示中のメールアドレスがタッチ操作されたか否かを判断する。以下では、いずれもタッチ操作されない場合、電話番号がタッチ操作された場合およびメールアドレスがタッチ操作された場合に分けて動作説明を進める。
【０１６８】
＜いずれもタッチ操作されない場合＞
電話番号もメールアドレスもタッチ操作されない場合には、上記ステップＳＲ１〜ＳＲ２の各判断結果がいずれも「ＮＯ」となり、何も行わずに本処理を終える。
【０１６９】
＜電話番号がタッチ操作された場合＞
電話番号がタッチ操作されると、上記ステップＳＲ１の判断結果が「ＹＥＳ」になり、ステップＳＲ３に進み、タッチ操作された位置が電話番号の前方付近（先頭付近）であるか否かを判断する。タッチ操作された位置が電話番号の前方付近（先頭付近）ならば、上記ステップＳＲ３の判断結果は「ＹＥＳ」になり、ステップＳＲ４に進む。ステップＳＲ４では、タッチして右方向（電話番号末尾の方向）にスライドする接触操作であるか否かを判断する。左方向にスライドする接触操作であったならば、判断結果は「ＮＯ」になり、この場合、無効な接触操作であると見なして本処理を終える。
【０１７０】
一方、図３１（ａ）に図示する一例のように、右方向（電話番号末尾の方向）にスライドする接触操作が為されると、上記ステップＳＲ４の判断結果は「ＹＥＳ」になり、ステップＳＲ５に進み、記憶部１０１から付加番号情報（先頭）（図２８（ａ）参照）を読み出す。次いで、ステップＳＲ６では、付加番号情報（先頭）中の、既に付加された番号にさらに付加可能な番号とを規定する情報に基づき、先頭に番号が付加可能であるかどうかを判断する。付加可能ならば、判断結果は「ＹＥＳ」となり、後述のステップＳＲ１０に進む。
【０１７１】
これに対し、例えば非通知番号「１８４」や通知番号「１８６」が既に先頭に付加され、更に付加することが出来ない場合には、上記ステップＳＲ６の判断結果は「ＮＯ」になり、ステップＳＲ７に進む。ステップＳＲ７では、付加されている番号を削除するかどうかを確認する画面を表示部１０６に表示し、続くステップＳＲ８では、その表示画面において削除する方を選択したか否かを判断する。削除しない方を選択した場合には、判断結果が「ＮＯ」になり、本処理を終える。一方、削除する方を選択した場合には、判断結果が「ＹＥＳ」になり、ステップＳＲ９に進む。
【０１７２】
そして、ステップＳＲ９では、付加されている番号を削除した後、ステップＳＲ１０に進み、記憶部１０１から読み出した付加番号情報（先頭）（図２８（ａ）参照）を参照し、例えば図３１（ｂ）に図示する一例のように、付加可能な番号名を表示部１０６にリスト表示する。次いで、ステップＳＲ１１では、リスト表示された付加可能な番号名の中から付加する番号名を選択し、続くステップＳＲ１２では、選択された番号名の番号を電話番号の先頭に付加して本処理を終える。
【０１７３】
さて一方、タッチ操作された位置が電話番号の前方付近（先頭付近）でない場合には、上記ステップＳＲ１３の判断結果が「ＮＯ」になり、ステップＳＲ１３に進み、タッチ操作された位置が電話番号の後方付近（末尾付近）であるか否かを判断する。電話番号の後方付近（末尾付近）でなければ、無効なタッチ操作であると見なし、判断結果が「ＮＯ」となって本処理を終える。
【０１７４】
これに対し、タッチ操作された位置が電話番号の後方付近（末尾付近）であると、上記ステップＳＲ１３の判断結果が「ＹＥＳ」になり、ステップＳＲ１４に進み、タッチして左方向（電話番号先頭の方向）にスライドする接触操作であるか否かを判断する。右方向にスライドする接触操作であったならば、判断結果は「ＮＯ」になり、この場合、無効な接触操作であると見なして本処理を終えるが、左方向（電話番号先頭の方向）にスライドする接触操作が為されると、判断結果は「ＹＥＳ」になり、ステップＳＲ１５に進む。
【０１７５】
そして、ステップＳＲ１５では、記憶部１０１に記憶される付加番号情報（末尾）（図２８（ｂ）参照）の内、設定フラグが「１」の付加番号情報（末尾）を読み出す。次いで、ステップＳＲ１６では、読み出した付加番号情報（末尾）に含まれる番号を、電話番号の末尾に付加して本処理を終える。
【０１７６】
＜メールアドレスがタッチ操作された場合＞
メールアドレスがタッチ操作されると、図３０に図示するステップＳＲ２の判断結果が「ＹＥＳ」になり、ステップＳＲ１７に進み、タッチして左方向（メールアドレス先頭の方向）にスライドする接触操作であるか否かを判断する。右方向にスライドする接触操作であったならば、無効な接触操作であると見なし、判断結果は「ＮＯ」になって本処理を終える。
【０１７７】
一方、図３２（ａ）に図示する一例のように、左方向にスライドする接触操作が為されると、上記ステップＳＲ１７の判断結果は「ＹＥＳ」になり、ステップＳＲ１８に進む。ステップＳＲ１８では、ドメイン名が付加されているか否かを判断する。ドメイン名が付加されていなければ、判断結果は「ＹＥＳ」となり、後述のステップＳＲ２２に進む。
【０１７８】
これに対し、ドメイン名が付加されていると、上記ステップＳＲ１８の判断結果は「ＮＯ」となり、ステップＳＲ１９に進む。ステップＳＲ１８では、付加されているドメイン名を削除するかどうかを確認する画面を表示部１０６に表示し、続くステップＳＲ２０では、その表示画面において削除する方を選択したか否かを判断する。削除しない方を選択した場合には、判断結果が「ＮＯ」になり、本処理を終える。一方、削除する方を選択した場合には、判断結果が「ＹＥＳ」になり、ステップＳＲ２１に進む。
【０１７９】
そして、ステップＳＲ２１では、付加されているドメイン名を削除した後、ステップＳＲ２２に進み、記憶部１０１に記憶される付加ドメイン情報（図２８（ｃ）参照）の内、設定フラグが「１」の付加ドメイン情報を読み出す。次いで、ステップＳＲ２３では、読み出した付加ドメイン情報に含まれるドメイン名を、図３２（ｂ）に図示する一例のように、メールアドレスの末尾に付加して本処理を終える。
【０１８０】
以上のように、第２実施形態では、通信相手の識別情報として表示中の電話番号の先頭付近をタッチして右方向（電話番号末尾の方向）にスライドする接触操作（図３１（ａ）参照）を検出した場合、その操作に応じて当該電話番号の先頭に付加可能な番号をリスト表示（図３１（ｂ）参照）し、このリスト表示された付加可能な番号名の中から付加する番号名を選択すると、選択された番号名の番号が自動的に電話番号の先頭に付加されるので、直感的な操作で番号付加することが可能になる。
【０１８１】
また、相手情報として表示中のメールアドレスをタッチして左方向にスライドする接触操作（図３２（ａ）参照）を検出した場合、その操作に応じて設定フラグが「１」の付加ドメイン情報を読み出し、読み出した付加ドメイン情報に含まれるドメイン名が、図３２（ｂ）に図示する一例のように、メールアドレスの末尾に自動的に付加されるので、直感的な操作でドメイン名を付加することができる。
【０１８２】
なお、以上説明した第１〜第２実施形態において得られる、より具体的な他の効果は、下記（ａ）〜（ｌ）項に記載の通りである。
（ａ）アイコン（電波アイコン、電池アイコンおよび時刻アイコン）の表示領域に接触した後、再び接触するという直感的かつ確実な操作で、使用状況（受信電波強度、電池残量および時刻）に関連する機能を実行することができる。
（ｂ）アイコンの表示領域に接触してから所定の表示位置に移動させるという直感的かつ確実な操作で、使用状況に関連する機能を実行することができる。
（ｃ）機能が実行可能な場合に実行するので、不要な処理を省略することができる。
（ｄ）直感的かつ確実な操作で通信に関連する機能、データの送信機能、電力に関連する機能（電源オンオフ機能、消費電力を抑制する動作モードの設定機）、時間計測に関連する機能（アラーム設定機能やタイマ設定機能）を実行することができる。
（ｅ）識別情報（各種アイコン、相手情報／データの総称）を指定するための接触の後、その識別情報を通信相手の表示領域まで移動させるという直感的な操作、あるいは、通信相手を指定するための接触の後、その通信相手を識別情報の表示領域まで移動させるという直感的な操作で、通信相手に対して通信機能を実行することができる。
（ｆ）識別情報を指定するための接触の後、その識別情報をデータの表示領域まで移動させるという直感的な操作、あるいは、データを指定するための接触の後、そのデータを識別情報の表示領域まで移動させるという直感的な操作で、データを送信する送信機能を実行することができる。
（ｇ）識別情報が表示されている表示領域に接触するという直感的な操作で、識別情報に対する情報付加機能を実行することができる。
（ｈ）識別情報が表示されている表示領域のうち前方位置に対して接触するという直感的な操作で、識別情報の先頭に情報を付加することができる。先頭位置すなわち付加したい位置に対する接触に限らず、前の方という大まかな位置に対する接触で良いのでユーザは容易に接触操作をすることができる。
（ｉ）識別情報が表示されている表示領域のうち後方位置に対して接触するという直感的な操作で、識別情報の末尾に情報を付加することができる。末尾位置すなわち付加したい位置に対する接触に限らず、後ろの方という大まかな位置に対する接触で良いのでユーザは容易に接触操作をすることができる。
（ｊ）識別情報が表示されている表示領域のうち所定の位置に対する接触の後、その位置を移動させるという直感的かつ確実な操作で識別情報に対する情報付加機能を実行することができる。
（ｌ）接触の後、その位置を右方向に移動させるという直感的かつ確実な操作で識別情報の先頭に情報を付加することができる。情報を付加したい先頭位置に対する厳密な接触操作ではなく、右方向という大まかな方向に関する操作で良いのでユーザは容易に接触操作をすることができる。
（ｋ）接触の後、その位置を左方向に移動させるという直感的かつ確実な操作で識別情報の末尾に情報を付加することができる。情報を付加したい末尾位置に対する厳密な接触操作ではなく、左方向という大まかな方向に関する操作で良いのでユーザは容易に接触操作をすることができる。
（ｌ）情報を付加することに適した識別情報の場合に情報を付加することによって、たとえば、重複が禁止されている情報を付加してしまうような不要な情報付加を防止することができる。
【０１８３】
また、前述した第１〜第２実施形態では、端末装置として携帯電話１０を想定しているが、本発明の要旨は、これに限らず、パーソナルコンピュータ、ＰＤＡ、デジタルカメラ、音楽プレイヤーなど、任意の端末装置に適用可能であることは言うまでもない。
【０１８４】
前述した第１〜第２実施形態では、折り畳み開閉タイプの携帯電話１０を一例としたが、これに限らず、ストレートタイプ、スライドタイプ、スピントップタイプなど任意の筐体構造であっても構わない。記憶部１０１は、携帯電話１０の内部に設けられるメモリに限定されず、メモリカードや外付けハードディスクなど、任意の外部記憶装置でも良い。表示部１０６は、携帯電話１０が備えるものに限らず、外部モニタなど、任意の外部表示装置でも良い。
【０１８５】
前述の第１実施形態では、「どのアイコンをどのような操作で指定するとどの機能が起動するか」を示す設定情報の一部をユーザが設定できるようにしたが、全てを設定できるようにしても良く、予め決定しておく態様であっても良い。識別情報は、電波アイコン、電池アイコン、時刻アイコンに限らない。端末装置の使用状況を検出してその検出結果を示す識別情報であれば良い。機能は、電波オフモードの設定／解除や電源オン／オフなどに限らない。それぞれの識別情報に関連する任意の機能で良い。電波アイコンで実行する通信機能は、音声通話、メール、近距離無線に限らない。有線、無線を問わず任意の通信機能で良い。アイコンを指定するタッチ操作は、シングルタッチ、ダブルタッチ、タッチ⇒画面中央部にスライドに限らない。一定時間以上のタッチ継続、タッチ⇒画面右下隅にスライドなど、アイコンを指定する任意の操作で良い。
【０１８６】
相手情報やデータを指定してアイコンを指定するタッチ操作は、相手情報にタッチ⇒アイコンにスライド、アイコンにタッチ⇒相手情報にスライドに限らない。相手情報とアイコンを同時にタッチなど、両方を指定する任意の操作で良い。相手情報に情報を付加するための指定操作は、前方付近や後方付近にタッチ⇒右や左方向にスライドに限らない。シングルタッチ、ダブルタッチ、タッチ⇒上方向にスライドなど、相手情報を指定する任意の操作で良い。相手情報に付加される情報は、特番やドメイン名に限らない。任意の文字列で良い。
【０１８７】
識別情報が示す使用状況に関連する複数の機能を記憶するようにしたが、記憶するのは複数の機能の中の選択される１つの機能だけとしても良い。たとえば、識別情報が電池アイコンであれば、電源オン機能、電源オフ機能、省電力モード設定機能などの複数の機能のうち、省電力モード設定機能だけを電池アイコンと対応付けて記憶させておき、第１および第２の接触操作の内容に応じて、記憶されている省電力モード設定機能を選択し、その機能を実行するようにしても良い。すなわち、必ずしも複数の機能を識別情報と対応付けて記憶させておく必要はない。
【符号の説明】
【０１８８】
１０  携帯電話
１００  制御部
１０１  記憶部
１０１ａ  プログラム記憶部
１０１ｂ  各種情報一時記憶部
１０１ｃ  アイコン情報記憶部
１０１ｄ  接触操作情報記憶部
１０１ｅ  機能情報記憶部
１０１ｆ  設定情報記憶部
１０１ｇ  相手情報記憶部
１０１ｈ  データ記憶部
１０１ｉ  メール記憶部
１０１ｊ  モード情報記憶部
１０１ｋ  アラーム・タイマ情報記憶部
１０２  無線通信部
１０３  近距離無線通信部
１０４  音声信号処理部
１０５  接触操作部
１０６  表示部
１０７  キー操作部
１０８  ＲＴＣ
１０９  報知部
１０９ａ  サウンドスピーカ
１０９ｂ  ＬＥＤ
１０９ｃ  振動モータ
１１０  電池部
【図１】
2010199749.tif 000003
【図２】
2010199749.tif 000004
【図３】
2010199749.tif 000005
【図４】
2010199749.tif 000006
【図５】
2010199749.tif 000007
【図６】
2010199749.tif 000008
【図７】
2010199749.tif 000009
【図８】
2010199749.tif 000010
【図９】
2010199749.tif 000011
【図１０】
2010199749.tif 000012
【図１１】
2010199749.tif 000013
【図１２】
2010199749.tif 000014
【図１３】
2010199749.tif 000015
【図１４】
2010199749.tif 000016
【図１５】
2010199749.tif 000017
【図１６】
2010199749.tif 000018
【図１７】
2010199749.tif 000019
【図１８】
2010199749.tif 000020
【図１９】
2010199749.tif 000021
【図２０】
2010199749.tif 000022
【図２１】
2010199749.tif 000023
【図２２】
2010199749.tif 000024
【図２３】
2010199749.tif 000025
【図２４】
2010199749.tif 000026
【図２５】
2010199749.tif 000027
【図２６】
2010199749.tif 000028
【図２７】
2010199749.tif 000029
【図２８】
2010199749.tif 000030
【図２９】
2010199749.tif 000031
【図３０】
2010199749.tif 000032
【図３１】
2010199749.tif 000033
【図３２】
2010199749.tif 000034